(57)【要約】      （修正有）【課題】不正アクセス防止効果の高い接着封止型の遊技機用基板ケースを提供する。【解決手段】接着剤保持部１６１に接着剤を保持した状態で第一ケース１１１と第二ケース１１２とを組み付けることで前記接着剤に対保持部用被接着部１６２が接触し、前記接着剤が硬化することで第一ケース１１１と第二ケース１１２とが接着された状態となる遊技機用基板ケース１００において、第一ケース１１１と第二ケース１１２とを組み付けると外部から密閉された状態となって接着剤保持部１６１及び対保持部用被接着部１６２が収まる接着用密閉室１１０ａを区画するための密閉室区画壁部１１０ａ１〜１１０ａ６を第一ケース１１１及び第二ケース１１２に設け、第一ケース１１１と第二ケース１１２とを組み付けた後に外壁面が外部に露出した状態となる密閉室区画壁部１１０ａ１〜１１０ａ５の内壁面と、接着剤保持部１６１の外壁面との間に低熱伝導層１１０ｂを設けた。【選択図】図１２
2019136456.tif 000002
【特許請求の範囲】
【請求項１】
遊技機の制御基板の一側を覆う第一ケースと、
第一ケースに組み付けられ、前記制御基板の他側を覆う第二ケースと
で構成され、
第一ケースが、接着剤を保持するための接着剤保持部を有し、
第二ケースが、接着剤保持部に接着するための対保持部用被接着部を有し、
接着剤保持部に接着剤を保持した状態で第一ケースと第二ケースとを組み付けることにより前記接着剤に対保持部用被接着部が接触し、前記接着剤が硬化することで第一ケースと第二ケースとが接着された状態となるようにした
遊技機用基板ケースであって、
第一ケースと第二ケースとを組み付けると外部から密閉された状態となって接着剤保持部及び対保持部用被接着部が収まる接着用密閉室を区画するための密閉室区画壁部が、第一ケース及び第二ケースにそれぞれ設けられ、
密閉室区画壁部のうち、その外壁面が第一ケースと第二ケースとを組み付けた後に外部に露出した状態となる、外部露出型の密閉室区画壁部の内壁面と、接着剤保持部の外壁面との間に、第一ケース及び第二ケースの形成材料よりも熱伝導率の低い低熱伝導層が設けられた
ことを特徴とする遊技機用基板ケース。
【請求項２】
前記低熱伝導層が、空気層である請求項１記載の遊技機用基板ケース。
【請求項３】
第一ケースが、第一ケースと第二ケースとを組み付けたときに接着用密閉室の内側に突出した状態となる第一アーム部を有し、
第二ケースが、第一ケースと第二ケースとを組み付けたときに接着用密閉室の内側に突出した状態となる第二アーム部を有し、
接着剤保持部が、第一アーム部の先端部に設けられ、
対保持部用被接着部が、第二アーム部の先端部に設けられた
請求項１又は２記載の遊技機用基板ケース。
【請求項４】
第一アーム部又は第二アーム部のうち少なくとも一方のアーム部が、非直線状に曲がった形態を為す請求項３記載の遊技機用基板ケース。
【請求項５】
第一アーム部又は第二アーム部のうち少なくとも一方のアーム部が、当該アーム部における他の箇所よりも断面積が小さくなる断面積縮小部を有する請求項３又は４記載の遊技機用基板ケース。
【請求項６】
請求項１〜５いずれか１つに記載の遊技機用基板ケースを備えた遊技機。
【発明の詳細な説明】
【技術分野】
【０００１】
本発明は、遊技機の制御基板を収容するための遊技機用基板ケースと、この遊技機用基板ケースを備えた遊技機とに関する。
【背景技術】
【０００２】
回胴式遊技機やパチンコ遊技機等の遊技機の筺体（遊技機筺体）には、メイン制御基板やサブ制御基板等の各種の制御基板が収容されている。これらの制御基板や、それに取り付けられたＲＯＭ等が偽造品へ交換されてしまうと、例えば、遊技機に特定の操作を行うことで一般の遊技者（当該特定の操作を知らない遊技者）よりも有利な条件で遊技が進行するように遊技機を改造することが可能になる等、悪意のある遊技者（当該特定の操作を知っている遊技者）に不正遊技を許す虞がある。このため、遊技機の各メーカーは、メイン制御基板を始めとする各種の制御基板を基板ケース（遊技機用基板ケース）の内部に収容して、その制御基板に不正アクセスしにくくする対策を行っている。遊技機用基板ケースに収容されている制御基板等が偽造品に交換されたり、遊技機用基板ケースがこじ開けられたりしたような場合であっても、その痕跡を遊技機用基板ケースの外部から視認できるようにするために、遊技機用基板ケースは、通常、透明な材料によって形成される。
【０００３】
遊技機用基板ケースの構造は、一様ではないが、遊技機の制御基板の一側を覆う第一ケースと、第一ケースに組み付けられて前記制御基板の他側を覆う第二ケースとで構成されたものが一般的である。このように、第一ケースと第二ケースとを組み付けて構成する遊技機用基板ケースでは、第一ケース及び第二ケースにおける所定箇所を、係合手段等を用いて封印連結することが行われている。これにより、その封印連結部分を破壊する等、遊技機用基板ケースにおける封印連結部分やその周辺部分に何らかの痕跡を残さない限りは、第一ケースと第二ケースとを分離して遊技機用基板ケースを開放することができないようになっている。
【０００４】
第一ケースと第二ケースとを組み付けて構成する遊技機用基板ケースとしては、第一ケースと第二ケースとを接着剤により接着し、封止力をより高めたものも提案されている。例えば、特許文献１の図６には、接着剤４２を貯留するための接着剤貯留部５５をベース体３２（第一ケース）に形成するとともに、接着剤貯留部５５に挿入される挿入接着部６２をカバー体３３（第二ケース）に形成し、接着剤貯留部５５に接着剤４２を貯留した状態でベース体３２（第一ケース）とカバー体３３（第二ケース）とを組み付けることにより、接着剤４２に挿入接着部６２が浸かり、接着剤４２が硬化することでベース体３２（第一ケース）とカバー体３３（第二ケース）とが接着された状態となるようにした制御基板ケース３０（遊技機用基板ケース）が提案されている。以下においては、接着剤を用いて第一ケースと第二ケースとを接着して制御基板の封止を行う遊技機用基板ケースを「接着封止型の遊技機用基板ケース」と呼ぶことがある。
【先行技術文献】
【特許文献】
【０００５】
【特許文献１】特開２０１６−０４２８７４号公報
【発明の概要】
【発明が解決しようとする課題】
【０００６】
ところが、上記のように、接着封止型の遊技機用基板ケースにおいては、第一ケースと第二ケースとの接着部分にドライヤー等で加熱を施すと、前記接着部分で硬化していた接着剤が軟化して液状になり、前記接着部分における第一ケースと第二ケースとの接着状態が解除され、第一ケースや第二ケースにおける前記接着部分やその周辺部に目立つような痕跡が残らない状態で、第一ケースと第二ケースとを分離することが可能になる虞があった。このため、前記制御基板等に不正アクセスが為されたにもかかわらず、それを見過ごしてしまう虞があった。
【０００７】
本発明は、上記課題を解決するために為されたものであり、接着封止型の遊技機用基板ケースでありながら、外部から接着部分を加熱しようとしても、その熱が前記接着部分で硬化した接着剤まで伝わりにくく、前記接着部分での接着状態が解除されないようにすることで、不正アクセスの防止効果を高めた遊技機用基板ケースを提供するものである。また、この遊技機用基板ケースを備えた遊技機を提供することも本発明の目的である。
【課題を解決するための手段】
【０００８】
上記課題は、
遊技機の制御基板の一側を覆う第一ケースと、
第一ケースに組み付けられ、前記制御基板の他側を覆う第二ケースと
で構成され、
第一ケースが、接着剤を保持するための接着剤保持部を有し、
第二ケースが、接着剤保持部に接着するための対保持部用被接着部を有し、
接着剤保持部に接着剤を保持した状態で第一ケースと第二ケースとを組み付けることにより前記接着剤に対保持部用被接着部が接触し、前記接着剤が硬化することで第一ケースと第二ケースとが接着された状態となるようにした
遊技機用基板ケースであって、
第一ケースと第二ケースとを組み付けると外部から密閉された状態となって接着剤保持部及び対保持部用被接着部が収まる接着用密閉室を区画するための密閉室区画壁部が、第一ケース及び第二ケースにそれぞれ設けられ、
密閉室区画壁部のうち、その外壁面が第一ケースと第二ケースとを組み付けた後に外部に露出した状態となる、外部露出型の密閉室区画壁部の内壁面と、接着剤保持部の外壁面との間に、第一ケース及び第二ケースの形成材料よりも熱伝導率の低い低熱伝導層が設けられた
ことを特徴とする遊技機用基板ケース
を提供することによって解決される。
【０００９】
かかる構成のように、第一ケースと第二ケースとを組み付けると接着剤保持部及び対保持部用被接着部が接着用密閉室の内部に収まり、外部露出型の密閉室区画壁部の内壁面と接着剤が保持されている接着剤保持部の外壁面との間に低熱伝導層が設けられるようにしたことによって、遊技機用基板ケースの外部に露出した部分をドライヤー等で加熱したとしても、その加熱している部分と接着剤保持部との間には低熱伝導層が存在しているため、接着剤保持部に保持されて硬化している接着剤までその熱が伝わりにくくすることが可能になる。このため、前記接着剤の軟化を防止し、第一ケースと第二ケースとの接着状態を解除されにくくすることが可能になる。換言すると、第一ケースと第二ケースとの接着部分（接着剤保持部及び対保持部用被接着部）やその周辺部分を破壊する等、前記接着部分やその周辺部分に痕跡を残さない限りは、前記接着部分の接着状態を解除することができないようにすることが可能になる。したがって、遊技機用基板ケースの不正アクセスの防止効果を高めることが可能になる。
【００１０】
本発明の遊技機用基板ケースにおいては、前記低熱伝導層を空気層とすることも好ましい。
【００１１】
というのも、前記低熱伝導層は、グラスウールやロックウール等の繊維系残熱材や、ウレタンフォームやポリスチレンフォームや発泡ゴム等の発泡系断熱材等の断熱材を充填した層（断熱材充填層）とすることもできる。しかし、この場合には、断熱材を用いる分、コストが高くなり、密閉室区画壁部の内壁面と接着剤保持部の外壁面との間（隙間）に断熱材を充填する作業にも手間を要するようになるし、その割には、これらの一般的な断熱材の熱伝導率は、空気よりも高い。加えて、断熱材によって前記接着部分が視認しにくくなり、不正アクセスの際に前記接着部分に生じた痕跡を発見しにくくなる虞もある。また、前記低熱伝導層は、低圧状態（真空状態を含む。）の気体からなる低圧気体層とすることもできる。しかし、この場合には、密閉室区画壁部の内壁面と接着剤保持部の外壁面との隙間を減圧するのに手間やコストを要するし、その低圧状態を長期間維持することも容易ではない。加えて、空気以外の気体を用いると、コストも高くなる。この点、かかる構成のように、前記低熱伝導層を空気層（特に常圧の空気層）とすれば、特にコストや手間を要することなく、前記低熱伝導層の熱伝導率を低く抑えることが可能であるからである。
【００１２】
本発明の遊技機用基板ケースにおいては、
第一ケースを、第一ケースと第二ケースとを組み付けたときに接着用密閉室の内側に突出した状態となる第一アーム部を有するものとし、
第二ケースを、第一ケースと第二ケースとを組み付けたときに接着用密閉室の内側に突出した状態となる第二アーム部を有するものとし、
接着剤保持部を、第一アーム部の先端部に設け、
対保持部用被接着部を、第二アーム部の先端部に設ける
ことも好ましい。
【００１３】
かかる構成を採用することによって、密閉室区画壁部と接着部分（接着剤保持部及び対保持部用被接着部）とは、前記低熱伝導層以外の部分では、第一アーム部が設けられた部分と、第二アーム部が設けられた部分とだけで繋がった状態となるため、前記低熱伝導層以外の部分においても、密閉室区画壁部から前記接着部分への熱が伝わりにくくし、前記接着部分をより加熱しにくくすることが可能になる。
【００１４】
本発明の遊技機用基板ケースにおいて、上記のように、接着剤保持部を第一アーム部の先端部に設け、対保持部用被接着部を第二アーム部の先端部に設ける場合には、第一アーム部又は第二アーム部のうち少なくとも一方のアーム部を、非直線状に曲がった形態を為すものとすることが好ましい。
【００１５】
かかる構成を採用することによって、密閉室区画壁部から接着部分（接着剤保持部及び対保持部用被接着部）までの伝熱経路を長くし、第一アーム部や第二アーム部を通じて前記接着部分まで熱が伝わりにくくすることが可能になる。
【００１６】
本発明の遊技機用基板ケースにおいて、上記のように、接着剤保持部を第一アーム部の先端部に設け、対保持部用被接着部を第二アーム部の先端部に設ける場合には、第一アーム部又は第二アーム部のうち少なくとも一方のアーム部を、当該アーム部における他の箇所よりも断面積が小さくなる断面積縮小部を有するものとすることも好ましい。
【００１７】
かかる構成を採用することによっても、第一アーム部や第二アーム部を通じて、密閉室区画壁部から接着部分（接着剤保持部及び対保持部用被接着部）まで熱が伝わりにくくすることが可能になる。断面積縮小部としては、開口部や凹部や切欠部や空洞部等が挙げられる。第一アーム部や第二アーム部に、開口部や凹部や切欠部や空洞部等を設けると、その部分で第一アーム部や第二アーム部の断面積を小さくし、熱が伝わりにくくすることができる。
【図面の簡単な説明】
【００１８】
【図１】回胴式遊技機を前方から見た図である。
【図２】前扉が開かれた回胴式遊技機を前方斜め右上から見た図である。
【図３】ケース回動部材が保持位置にあるときの基板ケース及びケース取付部材を、前方斜め右上から見た図である。
【図４】ケース回動部材が展開位置にあるときの基板ケース及びケース取付部材を、前方斜め右上から見た図である。
【図５】基板ケースにおけるケース一側固定部材を、（ａ）前方斜め右上から見た図、及び、（ｂ）後方斜め左上から見た図である。
【図６】基板ケースにおけるケース他側固定部材を、（ａ）前方斜め右上から見た図、及び、（ｂ）後方斜め左上から見た図である。
【図７】ケース回動部材を前方斜め右上から見た図である。
【図８】ケース回動部材の内部に制御基板を収容する様子を、前方斜め右上から見た図である。
【図９】ケース回動部材を構成する第一ケースを、前方から見た図である。
【図１０】ケース回動部材を構成する第二ケースを、後方から見た図である。
【図１１】（ａ）ケース回動部材を構成する第一ケースと第二ケースとを組み付ける前の状態と、（ｂ）第一ケースと第二ケースとを組み付けた後の状態とを、ケース回動部材におけるＡ連結部の周辺で拡大して、左方やや斜め下側から見た図である。
【図１２】第一ケースと第二ケースとが組み付けられた後のケース回動部材におけるＡ連結部の周辺を拡大して、（ａ）前方から見た図、及び、（ｂ）左方から見た図である。
【図１３】ケース回動部材に操作手段を取り付けている様子を前方斜め右上から見た図である。
【図１４】操作手段が取り付けられたケース回動部材を、前方斜め右上から見た図である。
【図１５】操作手段が取り付けられたケース回動部材を、前方から見た図である。
【図１６】取付ブラケットを、（ａ）前方斜め右上から見た図、及び、（ｂ）後方斜め左上から図である。
【図１７】基板ケースにおけるケース回動部材に対してケース一側固定部材を組み付けている様子を、前方斜め左上から見た図である。
【図１８】基板ケースにおけるケース回動部材に対してケース一側固定部材を組み付けた状態を、前方斜め左上から見た図である。
【図１９】ケース回動部材及びケース一側固定部材をケース取付部材に対して組み付けている様子を、前方斜め右上から見た図である。
【図２０】ケース回動部材及びケース一側固定部材をケース取付部材に対して組み付けた状態を、前方斜め右上から見た図である。
【図２１】基板ケースにおけるケース回動部材に対して軸受部材及びケース他側固定部材を組み付けている様子を、前方斜め右上から見た図である。
【図２２】基板ケースにおけるケース回動部材に対して軸受部材及びケース他側固定部材を組み付けた状態を、前方斜め右上から見た図である。
【図２３】軸受部材を、（ａ）前方斜め右上から見た図、及び、（ｂ）後方斜め左上から見た図である。
【図２４】（ａ）被係合用可動体がＢ連結部として機能し得るＢ位置にある状態と、（ｂ）同被係合用可動体がＣ連結部として機能し得るＣ位置にある状態とを、ケース取付部材における可動体保持部の周辺で拡大して前方斜め右上から見た図である。
【図２５】被係合用可動体を、（ａ）前方斜め右上から見た図、及び、（ｂ）右方から見た図である。
【図２６】ケース取付部材を後方から見た図である。
【図２７】ケース取付部材に組み付けられた基板ケースに対して保護カバーを取り付けている様子を、前方斜め右上から見た図である。
【図２８】軸受部材でＦ連結部の連結を行っている様子を、前方斜め右上から見た図である。
【図２９】軸受部材で、（ａ）Ｆ連結部の連結を行う前の状態と、（ｂ）Ｆ連結部の連結を行った後の状態とを、Ｆ連結部の周辺で拡大して前方から見た図である。
【図３０】基板ケースにおけるガイド部の周辺を、図１５におけるＺ１−Ｚ１面で切断した状態を示した断面図である。
【発明を実施するための形態】
【００１９】
本発明の遊技機用基板ケースの好適な実施態様について、図面を用いてより具体的に説明する。以下においては、説明の便宜上、本発明に係る構成を回胴式遊技機で採用する場合を例に挙げて説明する。しかし、本発明の遊技機用基板ケースの技術的範囲は、回胴式遊技機で使用されるものに限定されず、パチンコ遊技機等、他の遊技機で使用されるものをも含んでいる。
【００２０】
また、図面の各図においては、説明の便宜を考慮し、ｘ軸、ｙ軸及びｚ軸を示している。ｘ軸、ｙ軸及びｚ軸の向きは、異なる図であっても、互いに一致している。以下においては、ｘ軸方向正側を「右」側、ｘ軸方向負側を「左」側、ｙ軸方向正側を「後」側、ｙ軸方向負側を「前」側、ｚ軸方向正側を「上」側、ｚ軸方向負側を「下」側と呼ぶことがあるが、これは、各部の相対的な位置関係を表すためのものに過ぎず、各部の絶対的な位置関係を限定するものではない。
【００２１】
１．  回胴式遊技機の概要
図１は、回胴式遊技機１０を前方から見た図である。回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００２２】
この回胴式遊技機１０は、メダルのクレジット枚数が所定枚数以上となった状態でスタートレバー２０が操作されると、役抽選が実行されるとともにリール１３，１４，１５が回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２３】
図２は、前扉１０ｂが開かれた回胴式遊技機１０を前方斜め右上から見た図である。回胴式遊技機１０は、図２に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。以下においては、筺体本体１０ａと前扉１０ｂとを合わせて「筺体１０ａ，１０ｂ」と表記することがある。本実施態様において、遊技機筺体の内部には、メイン制御基板ユニット３０、サブ制御基板ユニット３１、液晶ユニット３２、電源ユニット３３、コネクタユニット３４、リールユニット３５及びホッパーユニット３６等が納められている。
【００２４】
メイン制御基板ユニット３０は、役抽選や入賞判定等、遊技における基本的な制御を行う制御基板（メイン制御基板）を備えている。サブ制御基板ユニット３１は、発光ランプや音声による演出等、遊技における演出に関する制御を行う制御基板（サブ制御基板）を備えている。液晶ユニット３２は、液晶ディスプレイ１６（図１を参照）に表示される映像による演出に関する制御を行う制御基板（映像基板）を備えている。電源ユニット３３は、回胴式遊技機１０における各機器に電力を供給する制御基板（電源基板）を備えている。コネクタユニット３４は、特定の機器に接続されたケーブルを仲介する制御基板（仲介基板）を備えている。リールユニット３５は、リール１３，１４，１５の回転をそれぞれ独立して制御する制御基板（リール制御基板）を備えている。ホッパーユニット３６は、メダル投入口１１（図１を参照）に投入されたメダルを回収するとともに、メイン制御基板ユニット３０からの信号に基づいてメダル払出口１２（図１を参照）へメダルを送出する制御を行う制御基板（ホッパー制御基板）を備えている。
【００２５】
これらのユニットに備えられた各種制御基板は、いずれも、不正アクセスの対象となり得る。例えば、メイン制御基板ユニット３０に備えられた制御基板（メイン制御基板）には、回胴式遊技機１０における基本的な制御を行うためのプログラムが記録された記憶装置（ＲＯＭ）が搭載されているところ、この記憶装置を偽造したものに交換することによって、遊技中に特定の操作を行うと必ず大当たりになるようにする等、回胴式遊技機１０に不正な改造を試みる者がいる。このため、回胴式遊技機１０等の遊技機においては、この種の制御基板を、透明な基板ケース（通常、樹脂製）の内部に収容して封止することが行われている。本実施態様においても、これらの制御基板を透明な基板ケースの内部に収容することによって、当該制御基板を封止する構造を採用している。
【００２６】
本発明は、遊技機用の基板ケース（遊技機用基板ケース。以下、「基板ケース」と省略して称呼することがある。）に関するものであるところ、メイン制御基板を収容する基板ケース（メイン制御基板ユニット３０を構成する基板ケース）として採用すると好ましい。というのも、本発明の基板ケースは、基板ケースを接着剤により封止する技術に関するものであるところ、メイン制御基板を収容する基板ケースが最も不正アクセスの対象となりやすく、本発明の基板ケースに係る構成を採用する意義が大きいからである。この点、メイン制御基板は、遊技機のなかで最も不正アクセスの対象となりやすいからである。
【００２７】
本実施態様においても、本発明に係る構成は、メイン制御基板を収容する基板ケース（具体的には、後掲の図３に示す基板ケース１００）で採用している。以下においては、メイン制御基板を収容する基板ケースを例に挙げて説明する。ただし、このことは、本発明の基板ケースに係る構成を、メイン制御基板を収容する基板ケースにおいてのみ採用できることを意味しない。基板ケースに係る構成は、メイン制御基板ユニット３０以外のユニット３１〜３７を構成する基板ケース等でも採用することができる。
【００２８】
２．基板ケース（遊技機用基板ケース）の取り付け構造
基板ケース１００の具体的な構成について説明する前に、まず、基板ケース１００の取り付け構造について説明する。
【００２９】
２．１  基板ケース（遊技機用基板ケース）の取付け構造の概要
図３は、ケース回動部材１１０が保持位置にあるときの基板ケース１００及びケース取付部材２００を、前方斜め右上から見た図である。図４は、ケース回動部材１１０が展開位置にあるときの基板ケース１００及びケース取付部材２００を、前方斜め右上から見た図である。本実施態様の基板ケース１００は、図３に示すように、ケース取付部材２００の前面に取り付けられ、このケース取付部材２００を介して、遊技機の筺体１０ａ，１０ｂ（図２）における所定箇所に固定されるようになっている。上述したように、本実施態様の基板ケース１００は、メイン制御基板を収容するものであるところ、ケース取付部材２００は、その後面を、遊技機の筺体本体１０ａの背板１０ａ１（図２）の前面側に取り付けられるようになっている。
【００３０】
本実施態様の基板ケース１００は、図３及び図４に示すように、ケース取付部材２００に対して回動可能なケース回動部材１１０と、ケース取付部材２００に対して動かない状態で取り付けられるケース一側固定部材１２０及びケース他側固定部材１３０とで構成されている。以下においては、ケース一側固定部材１２０及びケース他側固定部材１３０をまとめて「ケース固定部材１２０，１３０」と表記することがある。図５は、基板ケース１００におけるケース一側固定部材１２０を、（ａ）前方斜め右上から見た図、及び、（ｂ）後方斜め左上から見た図である。図６は、基板ケース１００におけるケース他側固定部材１３０を、（ａ）前方斜め右上から見た図、及び、（ｂ）後方斜め左上から見た図である。
【００３１】
この基板ケース１００は、図３に示すように、ケース回動部材１１０の背面がケース取付部材２００の前面に沿う保持位置と、図４に示すように、ケース回動部材１１０の背面がケース取付部材２００の前面から離反してケース回動部材１１０を背面側から視認可能となる展開位置との間で、ケース固定部材１２０，１３０に対してケース回動部材１１０を回動させることができるようになっている。このため、基板ケース１００への不正アクセスの痕跡の有無を点検する人（点検者）は、保持位置にあるケース回動部材１１０を、その正面側から確認できるとともに、ケース回動部材１１０を展開位置とすることによって、基板ケース１００をケース取付部材２００から取り外すことなく、ケース回動部材１１０の背面側からも確認することができるようになっている。したがって、基板ケース１００が遊技機の筺体１０ａ，１０ｂから取り外されることによる不正行為を防止することも可能となっている。よって、基板ケース１００への不正アクセスを防止することができるようになっている。
【００３２】
また、基板ケース１００を、ケース取付部材２００に対して回動するケース回動部材１１０と、ケース取付部材２００に対して動かないケース固定部材１２０，１３０とで構成したことによって、筺体１０ａ，１０ｂの内部空間を有効に活用することが可能になる。というのも、基板ケース１００の全体が回動するようにしておくと、遊技機筺体１０ａ，１０ｂの内部におけるケース取付部材２００の前方には、基板ケース１００の全体を回動させることができるように、基板ケース１００の回動空間を広く確保しておく必要がある。この点、本実施態様の基板ケース１００では、制御基板３００（図５）を収容したケース回動部材１１０のみが回動し、ケース固定部材１２０，１３０は、回動しないようになっている。特に、本実施態様の基板ケース１００においては、後述するように、ケース他側固定部材１３０には、Ｂ連結部として機能するＢ連結部用係合部４０１（図６）や、Ｃ連結部として機能するＣ連結部用係合部４０２（図６）を設けているため、ケース他側固定部材１３０の寸法はある程度大きくする必要がある。この点、基板ケース１００における、Ｂ連結部用係合部４０１やＣ連結部用係合部４０２が設けられた部分を回動させないことによって、上記の回動空間を狭くすることができる。
【００３３】
ケース回動部材１１０の展開角度（保持位置から展開位置までに要する回転角度）をどの程度に設定するかは、特に限定されないが、小さくしすぎると、ケース回動部材１１０を展開位置まで回動させても、ケース回動部材１１０の背面側を確認しにくくなる虞がある。このため、ケース回動部材１１０の展開角度は、６０°以上とすると好ましい。ケース回動部材１１０の展開角度は、７０°以上とするとより好ましく、８０°以上とするとさらに好ましい。一方、ケース回動部材１１０の展開角度を大きくしすぎると、ケース回動部材１１０の回動範囲が大きくなり、ケース回動部材１１０の周辺に他の部材等を配置しにくくなる。このため、ケース回動部材１１０の展開角度は、１２０°以下とすると好ましい。ケース回動部材１１０の展開角度は、１１０°以下とするとより好ましく、１００°以下とするとさらに好ましい。本実施態様において、ケース回動部材１１０の展開角度は、９０°に設定している。
【００３４】
本実施態様の基板ケース１００におけるケース回動部材１１０は、その下縁近傍の水平方向の軸を中心として回動する構造（下縁中心回動構造）となっているが、ケース回動部材１１０の回動態様は、これに限定されない。例えば、ケース回動部材１１０は、その上縁近傍の水平方向の軸を中心として回動する構造（上縁中心回動構造）を採用することもできるし、その左縁近傍の鉛直方向の軸を中心として回動する構造（左縁中心回動構造）を採用することもできるし、その右縁近傍の鉛直方向の軸を中心として回動する構造（右縁中心回動構造）を採用することもできる。ただし、ケース回動部材１１０の回動スペースや、ケース回動部材１１０の点検のしやすさや、展開位置にあるケース回動部材１１０の安定性等を考慮すると、本実施態様のように、下縁中心回動構造を採用することが好ましい。
【００３５】
２．２  語句の定義
ところで、以下においては、「Ａ連結部」、「Ｂ連結部」、「Ｃ連結部」、「Ｄ連結部」、「Ｅ連結部」及び「Ｆ連結部」という語句が登場する。「Ａ連結部」、「Ｂ連結部」、「Ｃ連結部」、「Ｄ連結部」、「Ｅ連結部」及び「Ｆ連結部」という語句が意味するところは、それぞれ、以下の通りである。
【００３６】
「Ａ連結部」とは、遊技機が製造工場から出荷されてから、遊技機の検査機関が基板ケース１００（本実施態様では基板ケース１００のケース回動部材１１０）を開封して制御基板３００を検査するまでの間、基板ケース１００が不正に開封されて基板ケース１００の内部の制御基板３００に不正改造等が施されないように、基板ケース１００の構成部材を連結（本実施態様の基板ケース１００においては、基板ケース１００におけるケース回動部材１１０の第一ケース１１１と第二ケース１１２とを連結）するために、遊技機の製造工場等において基板ケース１００の前記構成部材を連結する部分のことを云う。基板ケース１００が不正に開封された際（本実施態様の基板ケース１００においては、基板ケース１００におけるケース回動部材１１０の第一ケース１１１（図８）と第二ケース１１２（図８）とが不正に分離された際）には、このＡ連結部又はその周辺に不正開封の痕跡が残るようになる。すなわち、基板ケース１００を点検する者は、Ａ連結部やその周辺の状態（破壊痕等の有無）を確認することによって、基板ケース１００が不正に開封されたか否かを確認することができる。Ａ連結部は、図面では「Ａ」という符号で示している（例えば、図９及び図１０を参照。）。
【００３７】
また、「Ｂ連結部」とは、遊技機が工場から出荷された後に、基板ケース１００がケース取付部材２００から不正に取り外されないように（ケース取付部材２００に対する基板ケース１００の取り付けは、通常、工場において行われる。）、基板ケース１００とケース取付部材２００とを連結する部分のことを云う。基板ケース１００がケース取付部材２００から不正に取り外された際には、このＢ連結部又はその周辺に不正な取り外しの痕跡が残るようになる。すなわち、基板ケース１００やケース取付部材２００を点検する者は、Ｂ連結部やその周辺の状態（破壊痕等の有無）を確認することによって、基板ケース１００がケース取付部材２００から不正に取り外されたか否かを確認することができる。Ｂ連結部は、図面では「Ｂ」という符号で示している（例えば、図６及び図２１を参照。）。
【００３８】
さらに、「Ｃ連結部」とは、「Ｂ連結部」の予備として設けられた部分となっている。すなわち、基板ケース１００は、遊技機が工場から出荷された後でも、検査機関等によってケース取付部材２００から正規に取り外されることがある。このとき、上記のＢ連結部は検査機関等により正規に破壊されることになる。検査機関による検査が完了した後の基板ケース１００は、再度、ケース取付部材２００に取り付けられることになるが、Ｂ連結部は、既に破壊等された状態となっているため、利用することができない。このため、検査完了後の基板ケース１００をケース取付部材２００に取り付ける際には、この「Ｃ連結部」で、基板ケース１００とケース取付部材２００とを連結することになる。基板ケース１００やケース取付部材２００を点検する者は、Ｃ連結部やその周辺の状態（破壊痕等の有無）を確認することによって、検査機関等によって基板ケース１００がケース取付部材２００から正規に取り外されてから今までの間に、基板ケース１００がケース取付部材２００から不正に取り外されたか否かを確認することができる。Ｃ連結部は、図面では「Ｃ」という符号で示している（例えば、図６及び図２１を参照。）。
【００３９】
さらにまた、「Ｄ連結部」は、「Ｃ連結部」の予備として設けられた部分となっている。すなわち、上記の検査機関等による検査は、１回のみとは限らず、２回以上行われることもあり得るところ、２回目の検査等の際には、上記のＣ連結部は検査機関等により正規に破壊されることになる。検査機関等による２回目の検査が完了した後の基板ケース１００は、再度、ケース取付部材２００に取り付けられることになるが、Ｂ連結部やＣ連結部は、既に破壊等された状態となっているため、利用することができない。このため、２回目の検査が完了した後の基板ケース１００をケース取付部材２００に取り付ける際には、この「Ｄ連結部」で、基板ケース１００とケース取付部材２００とを連結することになる。基板ケース１００やケース取付部材２００を点検する者は、Ｄ連結部やその周辺の状態（破壊痕等の有無）を確認することによって、検査機関等によって基板ケース１００がケース取付部材２００から２回目に正規に取り外されてから今までの間に、基板ケース１００がケース取付部材２００から不正に取り外されたか否かを確認することができる。「Ｄ連結部」の予備として「Ｅ連結部」が設けられることもある。本実施態様の基板ケース１００やケース取付部材２００には、Ｄ連結部及びＥ連結部は設けていないが、基板ケース１００やケース取付部材２００を、Ｄ連結部及びＥ連結部が設けられた構成とすることも可能である。
【００４０】
そして、「Ｆ連結部」は、制御基板３００を収容した基板ケース１００（本実施態様の基板ケース１００においては、基板ケース１００のケース回動部材１１０）がメーカー等に返却される際に、基板ケース１００が不正に開封されて基板ケース１００の内部の制御基板３００に不正改造等が施されないように、基板ケース１００の構成部材を連結（本実施態様の基板ケース１００においては、基板ケース１００におけるケース回動部材１１０の第一ケース１１１（図８）と第二ケース１１２（図８）とを連結）する部分のことを云う。すなわち、遊技機では、基板ケース１００に収容された制御基板３００に不具合や不審な点等が認められた場合には、制御基板３００は、基板ケース１００に収容された状態のままメーカー等に返却される。ところが、この制御基板３００の返却過程において、基板ケース１００が不正に開けられてしまうと、制御基板３００の不具合等が返却前に生じていたものなのか、返却過程において生じたものなのかの判断ができなくなる。この点、制御基板３００の返却を受けたメーカー等は、このＦ連結部やその周辺の状態（破壊混等の有無）を確認することによって、制御基板３００の返却過程において基板ケース１００が不正に開封されたか否かを確認することができる。Ｆ連結部は、図面では「Ｆ」という符号で示している（例えば、図２８及び図２９を参照。）。
【００４１】
上記の「Ａ連結部」、「Ｂ連結部」、「Ｃ連結部」、「Ｄ連結部」、「Ｅ連結部」及び「Ｆ連結部」は、遊技機の業界では、通常、それぞれ、「Ａカシメ部」、「Ｂカシメ部」、「Ｃカシメ部」、「Ｄカシメ部」、「Ｅカシメ部」及び「Ｆカシメ部」と呼ばれている。しかし、「カシメ部」という表現を用いた場合には、その連結部がカシメ（複数の部品の一部を塑性加工して接合すること）によるものだけであるとの誤解を与える虞があるため、本明細書では、「連結部」という表現を用いている。
【００４２】
２．３  基板ケース（遊技機用基板ケース）の組立
図７は、ケース回動部材１１０を前方斜め右上から見た図である。図８は、ケース回動部材の内部に制御基板３００を収容する様子を、前方斜め右上から見た図である。図９は、ケース回動部材１１０を構成する第一ケース１１１を、前方から見た図である。図１０は、ケース回動部材１１０を構成する第二ケース１１２を、後方から見た図である。基板ケース１００におけるケース回動部材１１０は、図８に示すように、第一ケース１１１と第二ケース１１２とに分割可能な構造となっており、ケース回動部材１１０の内部には、制御基板３００を収容することができるようになっている。第一ケース１１１は、制御基板３００の後側を覆うための部材（いわゆるベース部材）となっており、第二ケース１１２は、第一ケース１１１の前側に組み付けられ、制御基板３００の前側を覆うための部材（いわゆるカバー部材）となっている。
【００４３】
本実施態様の基板ケース１００において、ケース回動部材１１０は、図８の矢印α１に示すように、第二ケース１１２の後面側に、制御基板３００を組み付けた後、図８の矢印α２に示すように、その制御基板３００が組み付けられた第二ケース１１２を、第一ケース１１１の前面側に組み付けることによって、制御基板３００を収容するものとなっている。第二ケース１１２を第一ケース１１１に対して組み付ける際の最終段階では（組み付けが完了する直前には）、第一ケース１１１に対して第二ケース１１２を下向き（ｚ軸方向負側）にスライドさせるようになっている。第二ケース１１２を第一ケース１１１に対して組み付けた後には、第一ケース１１１の封印シール貼付部１１１ｇと第二ケース１１２の封印シール貼付部１１２ｇとに跨るように、封印シール（図示省略）が貼り付けられる。この封止シールは、それを切断等しない限りは、ケース回動部材１１０を開放して制御基板３００（図８）にアクセスすることができないようにするためのものとなっている。このため、この封印シールの状態を確認することで、ケース回動部材１１０が不正に開けられたことがあるか否かを判断する目安とすることができるようになっている。
【００４４】
ところで、図９に示すように、第一ケース１１１の前面側における左上隅角部と右上隅角部には、接着剤保持部１６１が設けられている一方、図１０に示すように、第二ケース１１２の後面側における左上隅角部と右上隅角部には、対保持部用被接着部１６２が設けられている。接着剤保持部１６１は、第一ケース１１１に対して第二ケース１１２を組み付ける際に、接着剤を保持させるための部分となっている。一方、対保持部用被接着部１６２は、第一ケース１１１に対して第二ケース１１２を組み付ける際に、接着剤保持部１６１に保持された前記接着剤に接触する部分となっている。第一ケース１１１に対して第二ケース１１２を組み付けた後、前記接着剤が硬化すると、第一ケース１１１と第二ケース１１２は、接着剤保持部１６１に保持された前記接着剤によって接着された状態となる。
【００４５】
この接着剤保持部１６１と対保持部用被接着部１６２との接着は、上記のＡ連結部として機能する部分である。基板ケース１００を正規に開封するためにこのＡ連結部を解除する際には、通常、後述する第二アーム部１１２ｆ（図１０）がニッパー等の切断具で切断される。一方、このＡ連結部を不正に解除する際には、第二アーム部１１２ｆを切断すると、その切断箇所に痕跡が残ってしまうため、第二アーム部１１２ｆを切断するような方法を採用することができない。このため、基板ケース１００を不正に開封するために、Ａ連結部を不正に解除して、第一ケース１１１を第二ケース１１２から不正に取り外そうとする者は、接着剤保持部１６１と対保持部用被接着部１６２との接着を解除する必要がある。しかし、本実施態様の基板ケース１００は、接着剤保持部１６１と対保持部用被接着部１６２との接着を解除することも、何らかの痕跡を残さない状態では、非常に困難なものとなっている。
【００４６】
このように、接着剤保持部１６１及び対保持部用被接着部１６２は、上記のＡ連結部として機能する部分となっている。図１１は、ケース回動部材１１０をＡ連結部（第一ケース１１１及び第二ケース１１２における左上隅角部のＡ連結部）の周辺で拡大して、左方やや斜め下側から見た図であって、図１１（ａ）は、ケース回動部材１１０を構成する第一ケース１１１と第二ケース１１２とを組み付ける前の状態を、図１１（ｂ）は、第一ケース１１１と第二ケース１１２とを組み付けた後の状態を示している。図１２は、第一ケース１１１と第二ケース１１２とが組み付けられた後のケース回動部材１１０におけるＡ連結部（第一ケース１１１及び第二ケース１１２における左上隅角部のＡ連結部）の周辺を拡大して示した図であって、図１２（ａ）は、前方から見た状態を、図１２（ｂ）は、左方から見た状態を示している。図１１及び図１２においては、第一ケース１１１及び第二ケース１１２を図９におけるＸ１−Ｘ１面で破断して描いている。
【００４７】
ケース回動部材１１０における第一ケース１１１と第二ケース１１２との組み付けを終えると、続いて、図１３及び図１４に示すように、ケース回動部材１１０における操作手段取付部１１０ｅに操作手段６１０を取り付ける。図１３は、ケース回動部材１１０に操作手段６１０を取り付けている様子を前方斜め右上から見た図である。図１４は、操作手段６１０が取り付けられたケース回動部材１１０を、前方斜め右上から見た図である。図１５は、操作手段６１０が取り付けられたケース回動部材１１０を、前方から見た図である。操作手段６１０は、制御基板３００（図８）の設定変更操作を行うためのものであり、本実施態様の基板ケース１００においては、それにキーを挿し込んで回すと設定が変更されるキースイッチとなっている。この操作手段１８０は、図１５に示すように、ケーブル７００によって、メイン制御基板３００に接続されている。本実施態様の基板ケース１００は、図１３に示すように、取付ブラケット６２０を用いて、操作手段６１０を取り付けるようにしている。図１６は、取付ブラケット６２０を、（ａ）前方斜め右上から見た図、及び、（ｂ）後方斜め左上から図である。
【００４８】
操作手段１８０をケース回動部材１１０に取り付けると、続いて、ケース一側固定部材１２０及びケース他側固定部材１３０を用いて、ケース回動部材１１０をケース取付部材２００に対して取り付ける。本実施態様の基板ケース１００は、図７及び図８のケース回動部材１１０と、図５のケース一側固定部材１２０と、図６のケース他側固定部材１３０とを、以下の手順により、ケース取付部材２００（図３及び図４）に対して取り付けるようになっている。ただし、以下で述べる手順は、飽くまで一例であり、本発明に係る基板ケースの技術的範囲は、以下の手順で行われるものに限定されない。下記の手順は、各部材が干渉等して、その手順で行うことが不可能でない限り、適宜変更することができる。
【００４９】
まず、図１７及び図１８に示すように、ケース一側固定部材１２０（図５）をケース回動部材１１０に対して組み付ける。図１７は、基板ケース１００におけるケース回動部材１１０に対してケース一側固定部材１２０を組み付けている様子を、前方斜め左上から見た図である。図１８は、基板ケース１００におけるケース回動部材１００に対してケース一側固定部材１２０を組み付けた状態を、前方斜め左上から見た図である。
【００５０】
本実施態様の基板ケース１００においては、図１７の矢印α３に示すように、ケース回動部材１１０の後側からケース一側固定部材１２０を移動させ、ケース回動部材１１０に設けられた支軸部１４１の上側にケース一側固定部材１２０の上側軸受部１２２を引っ掛けることにより、ケース回動部材１１０の左側面部における下部にケース一側固定部材１２０を組み付けるようになっている。
【００５１】
ケース回動部材１１０に対してケース一側固定部材１２０を組み付け終えると、図１９に示すように、そのケース回動部材１１０を、ケース一側固定部材１２０が組み付けられた状態のまま、矢印α４の向きに移動させ、ケース取付部材２００の前面側に組み付ける。図１９は、ケース回動部材１１０及びケース一側固定部材１２０をケース取付部材２００に対して組み付けている様子を、前方斜め右上から見た図である。図２０は、ケース回動部材１１０及びケース一側固定部材１２０をケース取付部材２００に対して組み付けた状態を、前方斜め右上から見た図である。
【００５２】
図１９に示すように、ケース回動部材１１０には、ケース回動部材１１０の左側面部の下部から左方に突出する支軸部１４１と、支軸部１４１の外周部を囲うように設けられた鍔部１４２と、ケース回動部材１１０の右側面部の下部から右方に突出する支軸部１４３（図８）と、支軸部１４３の外周部を囲うように設けられた鍔部１４４とが設けられており、ケース取付部材２００には、下側軸受部２０１と後側軸受部２０２が設けられているところ、鍔部１４２が下側軸受部２０１の左側に位置し、鍔部１４４が後側軸受部２０２の右側に位置するように、ケース回動部材１１０の組み付けを行う。鍔部１４２，１４４は、ケース取付部材２００に組み付けられたケース回動部材１１０がケース取付部材２００に対して左右方向にスライドしないようにケース回動部材１１０を規制するためのものとなっている。ケース一側固定部材１２０の上側軸受部１２２は、ケース取付部材２００の下側軸受部２０１と組み合わさって、支軸部１４１の外周全周部を包囲した状態となる。
【００５３】
ケース取付部材２００に対してケース回動部材１１０を組み付け終えると、ケース一側固定部材１２０は、ケース取付部材２００の前面における左下隅角部に位置するようになる。このケース一側固定部材１２０は、ケース取付部材２００に対して固定され、ケース取付部材２００に対して動かない状態とされる。本実施態様においては、ケース一側固定部材１２０の前面側に凹穴状に設けた固定部材挿通部１２３に、ネジ等の固定部材（図示省略）を挿通することによって、ケース取付部材２００に対してケース一側固定部材１２０を固定するようにしている。固定部材を挿通した後の固定部材挿通部１２３には、キャップ状の封印部材（図示省略）を嵌め込んで封止し、固定部材挿通部１２３に嵌め込んだ封印部材とケース一側固定部材１２０とに跨るように、シール状の封印部材（図示省略）を貼り付ける。
【００５４】
固定部材挿通部１２３に嵌め込まれるキャップ状の封印部材は、ケース一側固定部材１２０がケース取付部材２００から不正に取り外されないようにするためのものであり、固定部材挿通部１２３の奥部で係合される構造を有している。このキャップ状の封印部材を固定部材挿通部１２３に一旦嵌め込んでしまうと、その封印部材やケース一側固定部材１２０を破壊等しない限りは、上記の固定部材（ケース取付部材２００に対してケース一側固定部材１２０を固定するネジ等の固定部材）の固定箇所にアクセスできない状態となる。換言すると、キャップ状の封印部材等に痕跡を残さない限りは、ケース取付部材２００からケース一側固定部材１２０を取り外すことができない状態となる。
【００５５】
一方、固定部材挿通部１２３に嵌め込まれたキャップ状の封印部材とケース一側固定部材１２０とに跨った状態で貼り付けられるシール状の封印部材も、ケース一側固定部材１２０がケース取付部材２００から不正に取り外されないようにするためのものである。すなわち、ケース一側固定部材１２０をケース取付部材２００から取り外すためには、上記のキャップ状の封印部材を固定部材挿通部１２３から取り外す必要があるところ、シール状の封印部材を切断や剥離等しなければ、キャップ状の封印部材を固定部材挿通部１２３から取り外すことができないようになっている。
【００５６】
ケース取付部材２００に対してケース一側固定部材１２０を固定し終えると、続いて、図２１の矢印α５に示すように、ケース回動部材１１０の右側から軸受部材１５０を移動させ、軸受部材１５０の環状部１５１を、ケース回動部材１１０の支軸部１４３に外嵌するとともに、図２１の矢印α６に示すように、ケース回動部材１１０の右側からケース他側固定部材１３０を移動させ、ケース回動部材１１０及びケース取付部材２００に対してケース他側固定部材１３０を組み付ける。図２１は、基板ケース１００におけるケース回動部材１１０に対して軸受部材１５０及びケース他側固定部材１３０を組み付けている様子を、前方斜め右上から見た図である。図２２は、基板ケース１００におけるケース回動部材１１０に対して軸受部材１５０及びケース他側固定部材１３０を組み付けた状態を、前方斜め右上から見た図である。図２３は、軸受部材１５０を、（ａ）前方斜め右上から見た図、及び、（ｂ）後方斜め左上から見た図である。
【００５７】
図２１に示される軸受部材１５０は、その環状部１５１をケース回動部材１１０の支軸部１４３に外嵌された後、ネジ等の固定部材（図示省略）によって、ケース取付部材２００に対して固定された状態となる。この軸受部材１５０は、ケース回動部材１１０の支軸部１４３を軸支する軸受部分として機能するだけでなく、ケース回動部材１１０とケース取付部材２００とを連結状態とし、ケース回動部材１１０とケース取付部材２００とが不正に分離されないようにするための不正防止用連結構造として機能する部分となっている。換言すると、軸受部材１５０は、Ｂ連結部と同様の機能を発揮する部材となっている。ケース回動部材１１０に対してケース他側固定部材１３０を組み付けた状態にあっては、軸受部材１５０は、図２２に示すように、ケース他側固定部材１３０に設けられた半円筒状の被覆部１３２によって覆われた状態となる。
【００５８】
ところで、図２１に示すように、ケース取付部材２００の前面側には、被係合用可動体５０１が、ケース取付部材２００の可動体保持部２０３に対して移動可能な状態で設けられている。図２４は、ケース取付部材２００における可動体保持部２０３の周辺で拡大して前方斜め右上から見た図であって、図２４（ａ）は、被係合用可動体５０１がＢ連結部として機能し得るＢ位置にある状態を、図２４（ｂ）は、被係合用可動体５０１がＣ連結部として機能し得るＣ位置にある状態とをそれぞれ示している。図２５は、被係合用可動体を示した図であって、図２５（ａ）は、前方斜め右上から見た状態を、図２５（ｂ）は、右方から見た状態をそれぞれ示している。図２６は、ケース取付部材２００を後方から見た図である。本実施態様のケース取付部材２００において、被係合用可動体５０１は、図２４（ａ）に示すＢ位置と、図２４（ｂ）に示すＣ位置との間でスライド可能になっている。
【００５９】
この被係合用可動体５０１は、図２１に示すように、ケース回動部材１１０に対してケース他側固定部材１３０を組み付けたとき（ケース取付部材２００に対してケース他側固定部材１３０を組み付けたとき）に、ケース他側固定部材１３０の後面側に設けられたＢ連結部用係合部４０１（図６（ｂ））又はＣ連結部用係合部４０２（図６（ｂ））が係合するための部分となっている。すなわち、被係合用可動体５０１がＢ位置（図２４（ａ））にある状態で、ケース取付部材２００に対してケース他側固定部材１３０を組み付けると、Ｂ連結部用係合部４０１が被係合用可動体５０１に係合する一方、被係合用可動体５０１がＣ位置（図２４（ｂ））にある状態で、ケース取付部材２００に対してケース他側固定部材１３０を組み付けると、Ｃ連結部用係合部４０２が被係合用可動体５０１に係合するようになっている。
【００６０】
Ｂ連結部用係合部４０１と被係合用可動体５０１や、Ｃ連結部用係合部４０２と被係合用可動体５０１は、一旦係合した状態になると、破壊や白化等の塑性変形を伴わない状態（何らかの痕跡を残さない状態）では、その係合を解除することが極めて困難なものとなっている。換言すると、Ｂ連結部用係合部４０１や被係合用可動体５０１、又は、Ｃ連結部用係合部４０２や被係合用可動体５０１に痕跡を残さない限りは、ケース取付部材２００からケース他側固定部材１３０を取り外すことができないようになっている。Ｂ連結部用係合部４０１及び被係合用可動体５０１は、上記のＢ連結部として機能する部分となっており、Ｃ連結部用係合部４０２及び被係合用可動体５０１は、上記のＣ連結部として機能する部分となっている。
【００６１】
ケース回動部材１１０及びケース取付部材２００に対してケース他側固定部材１３０を所定位置までスライドさせ、Ｂ連結部用係合部４０１と第一被係合部５０１とを係合させる（若しくはＣ連結部用係合部４０２と第一被係合部５０１とを係合させる）と、ケース取付部材２００に対してケース他側固定部材１３０を固定し、ケース取付部材２００に対してケース他側固定部材１３０が動かないようにする。本実施態様の基板ケース１００及びケース取付部材２００においては、ケース他側固定部材１３０の本体部１３１の前面側に凹穴状に設けた固定部材挿通部１３１ａに、ネジ等の固定部材９００（図２１）を挿通することによって、ケース取付部材２００に対してケース他側固定部材１３０を固定するようにしている。固定部材を挿通した後の固定部材挿通部１３１ａには、キャップ状の封印部材（図示省略）を嵌め込んで封止する。また、固定部材挿通部１３１ａに嵌め込んだキャップ状の封印部材とケース他側固定部材１３０とに跨るように、シール状の封印部材（図示省略）も貼り付ける。このキャップ状の封印部材やシール状の封印部材も、Ｂ連結部等として機能するようになっている。
【００６２】
なお、図２１は、ケース取付部材２００に対してケース他側固定部材１３０を固定する前の状態を示したものであるにもかかわらず、ケース取付部材２００には、固定部材９００が既に取り付けられた状態で示している。これは、図示の便宜を考慮したものである。ネジ等の固定部材（例えば図２１の固定部材９０１〜９０４等）は、他の箇所の固定にも用いられ、同様の固定部材が、符号を示すことなく他の図面にも描かれている。しかし、固定部材９００〜９０４を含め、ネジ等の固定部材が示された図は、その図のタイミングでその場所にその固定部材が固定されているとは限らない。
【００６３】
以上により、ケース取付部材２００に対する基板ケース１００の取り付けが完了する。基板ケース１００の取り付けが完了した後には、基板ケース１００の所定箇所に、記録シール（図示省略）を貼り付けることも好ましい。既に述べたように、基板ケース１００は、工場等で封止されてケース取付部材２００に取り付けられ、検査機関等によって正規に開封又はケース取付部材２００から正規に取り外される場合があるところ、記録シールには、その封止した時期やその際に使用した連結部等を記録することができる。この記録シールに記された記録と、基板ケース１００等の各連結部の状態とを比較することによって、基板ケース１００等が不正に開封されたこと又は不正にケース取付部材２００から取り外されたことがあるか否かを判断する目安とすることができる。
【００６４】
以上の手順によってケース取付部材２００に取り付けた基板ケース１００のケース回動部材１１０は、上記の鍔部１４２や鍔部１４４がケース一側固定部材１２０やケース他側固定部材１３０やケース取付部材２００に干渉することによって、左右方向に移動させることができない状態となっていることに加えて、上記の支軸部１４１や支軸部１４３がケース一側固定部材１２０やケース他側固定部材１３０やケース取付部材２００に軸支されていることによって、前後方向にも移動させることができない状態となっている。このため、ケース回動部材１１０は、図６に示すＢ連結部用係合部４０１と図２１に示す被係合用可動体５０１との係合を解除してケース他側固定部材１３０をケース取付部材２００から取り外すとともに、ケース一側固定部材１２０をケース取付部材２００から取り外さなければ、ケース取付部材２００から取り外すことができない状態となっている。
【００６５】
本実施態様の基板ケース１００においては、それをケース取付部材２００に組み付けた後、基板ケース１００の前面側に保護カバー６３０を取り付けるようにしている。図２７は、ケース取付部材２００に組み付けられた基板ケース１００に対して保護カバー６３０を取り付けている様子を、前方斜め右上から見た図である。この保護カバー６３０を取り付けることによって、基板ケース１００に設けられたコネクタ挿通口１１０ｄを塞ぐ等、基板ケース１００の封止力をより高めることができる。基板ケース１００に取り付けた保護カバー６３０は、保護カバー６３０の前面側に凹穴状に設けた固定部材挿通部６３１に、ネジ等の固定部材（図示省略）を挿通することによって、基板ケース１００に対して固定するようにしている。固定部材を挿通した後の固定部材挿通部６３１には、キャップ状の封印部材（図示省略）を嵌め込んで封止し、固定部材挿通部６３１に嵌め込んだキャップ状の封印部材と保護カバー６３０とに跨るように、シール状の封印部材（図示省略）を貼り付ける。
【００６６】
３．基板ケース（遊技機用基板ケース）の構成部材
続いて、本実施態様の基板ケース１００の主要な構成部材について説明する。本実施態様の基板ケース１００は、主に、ケース回動部材１１０と、ケース一側固定部材１２０と、ケース他側固定部材１３０と、軸受部材１５０とで構成されている。
【００６７】
３．１  ケース回動部材
ケース回動部材１１０は、その内部に制御基板３００（図８）を収容できる形態であれば、その形態を特に限定されない。本実施態様のケース回動部材１１０は、既に述べたように、制御基板３００の後面側を覆う第一ケース１１１と、制御基板３００の前面側を覆う第二ケース１１２とで構成している。
【００６８】
３．１．１  第一ケース
第一ケース１１１は、その形態を特に限定されないが、本実施態様においては、図８に示すように、前面視矩形状を為す後壁部１１１ａと、後壁部１１１ａの左縁部及び右縁部の付近からそれぞれ前側に突出して設けられた左右一対の案内壁部１１１ｂ，１１１ｃ等とで構成している。既に述べたように、第一ケース１１１には、第二ケース１１２をスライドさせて組み付ける構造となっているところ、案内壁部１１１ｂ，１１１ｃは、第一ケース１１１に対して第二ケース１１２をスライドさせる際のガイドとして機能する部分となっている。また、これらの案内壁部１１１ｂ，１１１ｃの間に位置する空間が、制御基板３００を収容するための基板収容部として利用されるようになっている。
【００６９】
この第一ケース１１１には、図９に示すように、接着剤保持部１６１が設けられている。既に述べたように、接着剤保持部１６１は、Ａ連結部として機能する部分となっており、第一ケース１１１に対して第二ケース１１２を組み付ける際には、この接着剤保持部１６１に接着剤が保持され、第二ケース１１２に設けられた対保持部用被接着部１６２（図１０）がその接着剤によって接着剤保持部１６１に接着される。接着剤保持部１６１は、第一ケース１１１に第二ケース１１２を組み付けた際に外部から密閉された状態となる箇所に設けられる。本実施態様の基板ケース１００においても、図１２に示すように、第一ケース１１１に第二ケース１１２を組み付けた際に外部から密閉された状態となる接着用密閉室１１０ａに、接着剤保持部１６１を設けている。このように、外部から密閉された接着用密閉室１１０ａに接着剤保持部１６１を設けることによって、接着剤保持部１６１と対保持部用被接着部１６２とによるＡ連結部を不正に解除しにくくすることができる。
【００７０】
また、第一ケース１１１には、図９に示すように、Ｆ連結部用係合部４０３も設けている。このＦ連結部用係合部４０３は、上記のＦ連結部における連結部分として機能する部分となっている。Ｆ連結部用係合部４０３の形態等については、後述するＢ連結部用係合部４０１やＣ連結部用係合部４０２と同様であるために、説明を割愛する。このＦ連結部における第一ケース１１１と第二ケース１１２との連結構造についても、後で詳しく説明する。
【００７１】
本実施態様の基板ケース１００において、接着用密閉室１１０ａは、図１２に示すように、接着用密閉室１１０ａの後面を区画する後側の密閉室区画壁部１１０ａ１と、接着用密閉室１１０ａの前面を区画する前側の密閉室区画壁部１１０ａ２と、接着用密閉室１１０ａの上面を区画する上側の密閉室区画壁部１１０ａ３と、接着用密閉室１１０ａの下面を区画する下側の密閉室区画壁部１１０ａ４と、接着用密閉室１１０ａの左側面を区画する左側の密閉室区画壁部１１０ａ５と、接着用密閉室１１０ａの右側面を区画する右側の密閉室区画壁部１１０ａ６とで区画されている。
【００７２】
本実施態様の基板ケース１００において、密閉室区画壁部１１０ａ１，１１０ａ２，１１０ａ３，１１０ａ４，１１０ａ５，１１０ａ６のうち、密閉室区画壁部１１０ａ１，１１０ａ４は、第一ケース１１１側に設けられており、密閉室区画壁部１１０ａ２，１１０ａ３，１１０ａ５，１１０ａ６は、第二ケース１１２側に設けられている。また、密閉室区画壁部１１０ａ１，１１０ａ２，１１０ａ３，１１０ａ４，１１０ａ５，１１０ａ６のうち、密閉室区画壁部１１０ａ６を除く密閉室区画壁部１１０ａ１，１１０ａ２，１１０ａ３，１１０ａ４，１１０ａ５は、その外壁面が外部に露出した状態（第一ケース１１１と第二ケース１１２とを組み付けた後に外部に露出した状態）となる外部露出型の密閉室区画壁部となっている。一方、密閉室区画壁部１１０ａ６は、その外壁面が外部に露出しない（第一ケース１１１と第二ケース１１２とを組み付けた後に外部に露出した状態とならない）外部非露出型の密閉室区画壁部となっている。
【００７３】
本発明の基板ケース１００においては、密閉室区画壁部１１０ａ１〜１１０ａ６のうち、少なくとも外部露出型の密閉室区画壁部１１０ａ１，１１０ａ２，１１０ａ３，１１０ａ４，１１０ａ５の内壁面と、接着剤保持部１６１の外壁面との間には、熱伝導率の低い低熱伝導層１１０ｂ（図１２において破線で閉じた部分）を設けている。
【００７４】
というのも、本実施態様の基板ケース１００のように、Ａ連結部等の連結を接着剤によるものとした場合には、接着剤が保持されている接着剤保持部１６１の周辺をドライヤー等で加熱して、前記接着剤を軟化させて液状とし、第一ケース１１１や第二ケース１１２における接着剤保持部１６１やその周辺部に目立つような痕跡が残らない状態で、Ａ連結部等における接着を不正に解除しようとする者も現れる可能性がある。しかし、上記のように、第一ケース１１１と第二ケース１１２とを組み付けると接着剤保持部１６１が接着用密閉室１１０ａの内部に収まり（必然的に、対保持部用被接着部１６２も接着用密閉室１１０ａの内部に収まる。）、外部露出型の密閉室区画壁部１１０ａ１，１１０ａ２，１１０ａ３，１１０ａ４，１１０ａ５の内壁面と、接着剤が保持されている接着剤保持部１６１の外壁面との間に低熱伝導層１１０ｂを設けることによって、基板ケース１００の外部に露出した部分をドライヤー等で加熱したとしても、その加熱している部分と接着剤保持部１６１との間には低熱伝導層１１０ｂが存在しているため、接着剤保持部１６１に保持されて硬化している接着剤までその熱が伝わりにくくすることができ、基板ケース１００の不正開封の防止効果を高めることが可能になるからである。
【００７５】
本実施態様の基板ケース１００においては、外部露出型の密閉室区画壁部１１０ａ１，１１０ａ２，１１０ａ３，１１０ａ４，１１０ａ５の内壁面と接着剤保持部１６１の外壁面との間だけでなく、外部非露出型の密閉室区画壁部１１０ａ６の内壁面と接着剤保持部１６１の外壁面との間にも、低熱伝導層１１０ｂを設けており、基板ケース１００の外壁面に加えられた熱が接着剤保持部１６１までより伝わりにくくしている。
【００７６】
低熱伝導層１１０ｂの厚さ（密閉室区画壁部１１０ａ１の内壁面と接着剤保持部１６１の外壁面との間の低熱伝導層１１０である場合には、その密閉室区画壁部１１０ａ１の内壁面に垂直な方向の厚さ。他の密閉室区画壁部１１０ａ２，１１０ａ３，１１０ａ４，１１０ａ５，１１０ａ６の内壁面と接着剤保持部１６１の外壁面との間の低熱伝導層１１０においても同様。）は、特に限定されない。しかし、低熱伝導層１１０が薄すぎると、低熱伝導層１１０ｂを設けても、基板ケース１００の外壁面に加えられた熱が接着剤保持部１６１に伝わりやすくなる虞がある。このため、低熱伝導層１１０ｂの厚さ（場所によって低熱伝導層１１０ｂの厚さが異なる場合にはその最小値）は、通常、０．５ｍｍ以上とされる。低熱伝導層１１０ｂの厚さは、１ｍｍ以上であると好ましく、２ｍｍ以上であるとより好ましい。低熱伝導層１１０ｂの厚さの上限は、特に限定されないが、通常、１０〜２０ｍｍ程度までである。
【００７７】
低熱伝導層１１０ｂは、グラスウールやロックウール等の繊維系残熱材や、ウレタンフォームやポリスチレンフォームや発泡ゴム等の発泡系断熱材等の断熱材を充填した層（断熱材充填層）とすることもできる。しかし、この場合には、断熱材を用いる分、コストが高くなり、密閉室区画壁部１１０ａ１〜１１０ａ６の内壁面と接着剤保持部１６１の外壁面との間（隙間）に断熱材を充填する作業にも手間を要するようになるし、その割には、これらの一般的な断熱材の熱伝導率は、空気よりも高い。加えて、断熱材によって接着剤保持部１６１や対保持部用被接着部１６２が視認しにくくなり、不正アクセスの際にその部分に生じた痕跡を発見しにくくなる虞もある。また、低熱伝導層１１０ｂは、低圧状態（真空状態を含む。）の気体からなる低圧気体層とすることもできる。しかし、この場合には、密閉室区画壁部１１０ａ１〜１１０ａ６の内壁面と接着剤保持部１６１の外壁面との隙間（接着用密閉室１１０ａ）を減圧するのに手間やコストを要するし、その低圧状態を長期間維持することも容易ではない。加えて、空気以外の気体を用いると、コストも高くなる。この点、低熱伝導層１１０ｂを空気層（特に常圧の空気層）とすれば、特にコストや手間を要することなく、低熱伝導層１１０ｂの熱伝導率を低く抑えることが可能になる。本実施態様の基板ケース１００においても、低熱伝導層１１０ｂは、常圧の空気層としている。
【００７８】
本実施態様の基板ケース１００においては、上記のように、接着剤保持部１６１の周囲には、低熱伝導層１１０ｂが設けられるため、接着剤保持部１６１は、接着用密閉室１１０ａの内部で宙に浮いた状態で支持される。接着剤保持部１６１の支持構造は、特に限定されないが、本実施態様の基板ケース１００においては、図１２に示すように、接着用密閉室１１０ａの内側に突出した状態となる第一アーム部１１１ｄを第一ケース１１１（ベース部材）に設け、この第一アーム部１１１ｄの先端部に接着剤保持部１６１を設けている。これにより、密閉室区画壁部１１０ａ１〜１１０ａ６と接着剤保持部１６１とは、第一アーム部１１１ｄが設けられた部分だけで局所的に繋がった状態となるため、密閉室区画壁部１１０ａから接着剤保持部１６１に熱がさらに伝わりにくくすることが可能になる。第一アーム部１１１ｄは、第二ケース１１２（カバー部材）に設けてもよい。この場合には、後述する第二アーム部１１２ｆを第一ケース１１１（ベース部材）に設ける。
【００７９】
本実施態様の基板ケース１００においては、図１２（ａ）に示すように、第一アーム部１１１ｄには、第一アーム部１１１ｄにおける他の箇所よりも断面積を小さくするための断面積縮小部１１１ｄ１を設けている。これにより、第一アーム部１１１ｄを通じて、密閉室区画壁部１１０ａ１〜１１０ａ６から接着剤保持部１６１まで熱が伝わりにくくすることが可能になる。断面積縮小部１１１ｄ１としては、開口部や凹部や切欠部や空洞部等が挙げられる。第一アーム部１１１ｄに、開口部や凹部や切欠部や空洞部等を設けると、その部分で第一アーム部１１１ｄの断面積を小さくし、熱が伝わりにくくすることができる。本実施態様の基板ケース１００において、断面積縮小部１１１ｄ１は、開口部としている。
【００８０】
接着剤保持部１６１は、接着剤を保持できるのであれば、その形態を特に限定されない。接着剤保持部１６１は、接着剤を塗布可能な板状のものとすることもできる。しかし、本実施態様の基板ケース１００においては、図１１に示すように、接着剤保持部１６１を、凹部を有する箱型のものとしており、この凹部に接着剤を溜めることができるようにしている。接着剤保持部１６１の内部（接着剤貯留部）は、図９に示すように、複数の仕切壁１６１ａ（図９の例では２つの仕切壁１６１ａ）で仕切っている。それぞれの仕切壁１６１ａの形態は、特に限定されないが、本実施態様の基板ケース１００においては、図８に示すように、第二ケース１１２が組み付けられる側（ｙ軸方向負側）に突出させた板状部で仕切壁１６１ａを構成している。このように、接着剤保持部１６１における接着剤貯留部を仕切壁１６１で仕切ることによって、接着剤保持部１６１に対する接着剤の保持性を高めることができる。また、接着剤保持部１６１と接着剤との接触面積を増大させて、接着剤保持部１６１と対保持部用被接着部１６２とをより強固に接着することも可能になる。
【００８１】
また、図７に示すように、ケース回動部材１１０には、支軸部１４１，１４３や鍔部１４２，１４４を設けている。この支軸部１４１，１４３や鍔部１４２，１４４は、第二ケース１１２に設けることもできるが、本実施態様の基板ケース１００においては、図９に示すように、第一ケース１１１に設けている。
【００８２】
３．１．２  第二ケース
第二ケース１１２は、その形態を特に限定されないが、本実施態様においては、図８に示すように、前面視矩形状を為す前壁部１１２ａと、前壁部１１２ａの左縁部及び右縁部の付近からそれぞれ後側に突出して設けられた左右一対の側壁部１１２ｂ，１１２ｃと、
前壁部１１２ａの上縁部から後側に突出して設けられた上壁部１１２ｄと、前壁部１１２ａの下縁部から後側に突出して設けられた下壁部１１２ｅ等とで構成している。
【００８３】
第二ケース１１２の前壁部１１２ａの後面側には、制御基板３００がネジ等の固定具を介して固定される。制御基板３００には、ＣＰＵやＲＯＭ等の各種電子部品が実装されるが、これらの電子部品の実装面側が第二ケース１１２側（前側）を向く状態で制御基板３００を取り付けると好ましい。これにより、制御基板３００に実装された電子部品に異常がないかを、ケース回動部材１１０（基板ケース１００）の前面側から確認することが可能になる。また、既に述べたように、第二ケース１１２は、その後側に制御基板３００が取り付けられた状態で、第一ケース１１１に組み付けられるため、制御基板３００における電子部品の実装面が後側を向いていると、第二ケース１１２を第一ケース１１１に対して組み付ける際に、制御基板３００の電子部品が第一ケース１１１に干渉等する虞があるところ、制御基板３００における電子部品の実装面を前側に向けておくことによって、そのような不具合を防止することも可能になる。
【００８４】
図１０に示すように、第二ケース１１２には、Ａ連結部として機能する対保持部用被接着部１６２が設けられる。この対保持部用被接着部１６２は、第一ケース１１１に対して第二ケース１１２を組み付けた際に、第一ケース１１１の接着剤保持部１６１に重なる箇所に設けられる。本実施態様の基板ケース１００においては、接着剤保持部１６１を、第一ケース１１１における左上の隅角部と右上の隅角部とに設けたため、対保持部用被接着部１６２は、第二ケース１１２における左上の隅角部と右上の隅角部に設けている。
【００８５】
既に述べたように、接着剤保持部１６１は、接着用密閉室１１０ａの内部で宙に浮いた状態で支持されるため、接着剤保持部１６１に接着される対保持部用被接着部１６２も、接着用密閉室１１０ａの内部で宙に浮いた状態で支持される。対保持部用被接着部１６２の支持構造は、特に限定されないが、本実施態様の基板ケース１００においては、図１２に示すように、接着用密閉室１１０ａの内側に突出した状態となる第二アーム部１１２ｆを第二ケース１１１（カバー部材）に設け、この第二アーム部１１２ｆの先端部に対保持部用被接着部１６２を設けている。これにより、密閉室区画壁部１１０ａ１〜１１０ａ６と対保持部用被接着部１６２とは、第二アーム部１１２ｆが設けられた部分だけで局所的に繋がった状態となるため、密閉室区画壁部１１０ａから対保持部用被接着部１６２に熱がさらに伝わりにくくすることが可能になる。第二アーム部１１２ｆは、第一ケース１１１（ベース部材）に設けてもよい。この場合には、第一アーム部１１２ｄを、第二ケース１１２（カバー部材）に設けるようになる。
【００８６】
本実施態様の基板ケース１００においては、図１２（ａ）に示すように、第二アーム部１１２ｆには、第二アーム部１１２ｆにおける他の箇所よりも断面積を小さくするための断面積縮小部１１２ｆ１を設けている。これにより、第二アーム部１１２ｆを通じて、密閉室区画壁部１１０ａ１〜１１０ａ６から対保持部用被接着部１６２まで熱が伝わりにくくすることが可能になる。断面積縮小部１１２ｆ１としては、開口部や凹部や切欠部や空洞部等が挙げられる。第二アーム部１１２ｆに、開口部や凹部や切欠部や空洞部等を設けると、その部分で第二アーム部１１２ｆの断面積を小さくし、熱が伝わりにくくすることができる。また、接着剤保持部１６１と対保持部用被接着部１６２との接着によるＡ連結部は、基板ケース１００を正規に開封する際には、第二アーム部１１２ｆがニッパー等の切断具で切断されるところ、この第二アーム部１１２ｆに断面積縮小部１１２ｆ１を設けることによって、その切断具の一部（例えばニッパーの刃）を断面積縮小部１１２ｆ１に挿入できるようになる等、Ａ連結部を正規に解除する際の第二アーム部１１２ｆの切断を行いやすくなるという利点もある。本実施態様の基板ケース１００において、断面積縮小部１１２ｆ１は、開口部としている。
【００８７】
第二アーム部１１２ｆは、直線状にまっすぐ延びた形態のものとしてもよいが、非直線状に曲がった形態を為すものとすることが好ましい。これにより、密閉室区画壁部１１０ａ１〜１１０ａ６から対保持部用被接着部１６２までの伝熱経路を長くし、第二アーム部１１２ｆを通じて対保持部用被接着部１６２まで熱がさらに伝わりにくくすることが可能になる。本実施態様の基板ケース１００においても、第二アーム部１１２ｆは、図１１に示すように、その基端部付近で折れ曲がった形態としている。なお、本実施態様の基板ケース１００では採用していないが、第二アーム部１１２ｆと同様の理由で、第一アーム部１１１ｄも、非直線状に曲がった形態とすることもできる。
【００８８】
対保持部用被接着部１６２は、接着剤保持部１６１に保持された接着剤に接触できるのであれば、その形態を特に限定されない。対保持部用被接着部１６２は、単純な板状のものとすることもできる。しかし、本実施態様の基板ケース１００においては、図１０に示すように、対保持部用被接着部１６２を、複数の突片１６２ａ（図１０の例では３つの突片１６２ａ）を有する形態としている。既に述べたように、接着剤保持部１６１の内部（接着剤貯留部）は、２つの仕切壁１６１ａで３つの空間に仕切られているところ、この３つの空間のそれぞれに、３つの突片１６２ａが挿入されるようにしている。これにより、対保持部用被接着部１６２と接着剤との接触面積を増大させて、接着剤保持部１６１と対保持部用被接着部１６２とをより強固に接着することが可能となっている。
【００８９】
また、本実施態様の基板ケース１００においては、図１２（ａ）に示すように、第二アーム部１１２ｆに、係合凸部１１２ｆ２を左右一対に設けている。この係合凸部１１２ｆ２は、第一ケース１１１に左右一対で設けた被係合突起１１１ｅに係合させる部分となっている。第一ケース１１１から第二ケース１１２を取り外すためには、第二ケース１１２を、図１２（ａ）に示す状態からまず上側（ｚ軸方向正側）にスライドさせる必要があり、接着剤保持部１６１と対保持部用被接着部１６２との接着が不完全であると、第二ケース１１２を上側にスライドさせることが可能となってしまう。この点、係合凸部１１２ｆ２を設けることによって、第二ケース１１２を上側にスライドさせようとしても、係合凸部１１２ｆ２が被係合突起１１１ｅに係合し、係合凸部１１２ｆ２若しくは被係合突起１１１ｅ又はその周辺に破損等の塑性変形（何らかの痕跡）を生じさせない限りは、第二ケース１１２を上側にスライドさせることができないようになっている。一方、第一ケース１１１に対する第二ケース１１２の取り付けが完了する直前には、第二ケース１１２を下側にスライドさせるところ、このときには、一対の被係合部１１１ｅが一対の係合凸部１１２ｆ２によって弾性的に押し広げられるようになっている。
【００９０】
３．１．３  基板ケースに対する操作手段の取り付け
ところで、本実施態様の基板ケース１００においては、図１３及び図１４に示すように、基板ケース１００に操作手段６１０を取り付けるようにしている。操作手段６１０は、制御基板３００（図８）の設定変更操作（遊技役の当選確率等の設定を変更する操作等）を行うためのものであるため、ケーブル７００（図１５）によって制御基板３００に接続される。ところが、本実施態様の基板ケース１００のような回動支持型の基板ケース１００（ケース回動部材１１０を有する基板ケース１００）において、操作手段６１０を基板ケース１００における回動しない部分（ケース回動部材１１０以外の部分）に設けていると、ケース回動部材１１０を回動する際に、ケーブル７００が絡まったり周囲の部材に干渉したりする虞がある。というのも、ケーブル７００を制御基板３００に接続するためにケーブル７００のコネクタ部分を挿し込むためのコネクタ挿通口１１０ｄは、図８に示すように、制御基板３００を収容するケース回動部材１１０の構成部材（第一ケース１１１又は第二ケース１１２）に設けられるため、操作手段６１０を回動しない部分に設けていると、ケース回動部材１１０を回動させる際に、操作手段６１０がコネクタ挿通口１１０ｄに対して相対的に移動するようになるからである。この点、本実施態様の基板ケース１００では、以下の構成を採用することにより、この問題を解決している。
【００９１】
第一に、図８に示すように、ケース回動部材１１０を回動させたとしてもコネクタ挿通口１１０ｄとの相対的な位置が変わらない箇所（ケース回動部材１１０を構成する第一ケース１１１又は第二ケース１１２）に、操作手段６１０を取り付けるための操作手段取付部１１０ｅを設けている。このため、ケース回動部材１１０と一体的に回動する部分に操作手段６１０を取り付けて、ケース回動部材１１０を回動させても、コネクタ挿通口１１０ｄに対する操作手段６１０の相対的な位置が変化しないようにすることができるようになっている。換言すると、ケース回動部材１１０を回動させても、ケーブル７００（図１５）が変形しないようにして、回動支持型の基板ケース１００でありながら、ケーブル７００を絡みにくくすることが可能となっている。
【００９２】
本実施態様の基板ケース１００においては、図９に示すように、第一ケース１１１に操作手段取付部１１０ｅを設けており、図１０に示すように、第二ケース１１２にコネクタ挿通口１１０ｄを設けているが、操作手段取付部１１０ｅとコネクタ挿通口１１０ｄを設ける部材は逆にする（第一ケース１１１にコネクタ挿通口１１０ｄを設けて、第二ケース１１２に操作手段取付部１１０ｅを設ける）ことも可能である。また、第一ケース１１１と第二ケース１１２のうち、いずれか一方のみに、操作手段取付部１１０ｅ及びコネクタ挿通口１１０ｄの両方を設けることも可能である。
【００９３】
第二に、図１５に示すように、操作手段６１０とコネクタ挿通口１１０ｄとを接続するケーブル７００を、第一ケース１１１と第二ケース１１２との境界部のうち遊技機筺体の開放面に臨む側（本実施態様の基板ケース１００においては前側。以下においては、「筺体開放側」と呼ぶことがある。）に露出する開放側境界部１１０ｃに沿って前記操作手段の近傍から前記コネクタ挿通口１１０ｄの近傍に至るようにケーブル７００の外周面をガイドするガイド部８００を、第一ケース１１１又は第二ケース１１２における開放側境界部１１０ｃの近傍に設けている。
【００９４】
ケーブル７００は、通常、ある程度の硬さと弾性を有するものであり、ケーブル７００を思った通りの経路で取り回すことは容易ではないところ、かかる構成のように、ガイド部８００を設けることによって、ケーブル７００を、操作手段取付部１１０ｅの付近からコネクタ挿通口１１０ｄの付近まで取り回しやすくすることが可能となっている。
【００９５】
また、ケーブル７００が、制御基板３００の筺体開放側に重なると、制御基板３００への不正アクセスの痕跡を目視により確認しにくくなるところ、かかる構成のように、ガイド部８００を、第一ケース１１１と第二ケース１１２との開放側境界部１１０ｃの近傍に設けることによって、ケーブル７００を開放側境界部１１０ｃに沿って取り回すことが可能になる。したがって、制御基板３００への不正アクセスの痕跡を目視する際に邪魔になりにくい経路（第一ケース１１１と第二ケース１１２との境界部は、それに収容される制御基板３００の筺体開放側に覆いかぶさらない状態で設けられることが多い。）に沿ってケーブル７００を取り回すだけでなく、ケーブル７００の取り回し作業を、基板ケース１００よりも筺体開放側で容易に行うことも可能となっている。
【００９６】
ガイド部８００は、ケーブル７００を取り回す経路（開放側境界部１１０ｃに沿ったケーブル７００の取り回し経路）のうち、一部のみに設けてもよいが、その経路の略全体（全区間）に、連続的又は断続的に設けることが好ましい。これにより、ケーブル７００が、開放側境界部１１０ｃに沿った所望の経路上により安定して維持されやすくなる。ただし、経路の一部のみにガイド部８００を設ける場合でも、ケーブル７００を屈曲させる箇所等にガイド部８００を配置する等、ガイド部８００を効果的に配置すれば、ケーブル７００を、開放側境界部１１０ｃに沿った所望の経路上で安定させることは可能である。
【００９７】
第三に、操作手段取付部１１０ｅを、第一ケース１１１又は第二ケース１１２の縁部近傍（本実施態様の基板ケース１００では、図９に示すように、第一ケース１１１の縁部近傍）に設け、コネクタ挿通口１１０ｄを、第一ケース１１１又は第二ケース１１２における、操作手段取付部１１０ｅから離れた箇所の縁部近傍（本実施態様の基板ケース１００では、図１０に示すように、第二ケース１１２における、操作手段取付部１１０ｅ（図９）から離れた箇所の縁部近傍）に設けている。これにより、操作手段６１０とコネクタ挿通口１１０ｄとをある程度離れた箇所に配置しても、ケーブル７００を点検の邪魔になりにくい箇所に取り回すことが可能になる。このため、操作手段６１０やコネクタ挿通口１１０ｄの配置自由度が高くなり、遊技機筺体の内部の限られたスペースを効率的に使用することが可能となっている。
【００９８】
第四に、図１５に示すように、上記のガイド部８００を、第一ケース１１１に設けられ、開放側境界部１１０ｃにおける第一ケース１１１側からケーブル７００の外周面をガイドする第一ガイド部８０１と、第二ケース１１２に設けられ、開放側境界部１１０ｃにおける第二ケース１１２側からケーブル７００の外周面をガイドする第二ガイド部８０２とで構成している。第一ガイド部８０１や第二ガイド部８０２の形態は、ケーブル７００をガイドできるのであれば特に限定されない。本実施態様においては、図３０に示すように、第一ガイド部８０１を、板状の凸部としており、第二ガイド部８０２を、断面Ｌ字型の湾曲板状の部分としている。図３０は、基板ケース１００におけるガイド部８００の周辺を、図１５におけるＺ１−Ｚ１面で切断した状態を示した断面図である。図３０においては、ケーブル７００を太破線で示している。図３０を見ると、第一ガイド部８０１及び第二ガイド部８０２によって、ケーブル７００を両側からガイドできることが分かる。
【００９９】
これにより、ケーブル７００の外周面を一側（開放側境界部１１０ｃから見て第一ケース１１１側）及び他側（開放側境界部１１０ｃから見て第二ケース１１２側）からガイドして、ケーブル７００の姿勢がより安定しやすくすることが可能となっている。加えて、ケーブル７００の外周面を両側（一側及び他側）からガイド可能なガイド部８００（以下において「両側型のガイド部」と呼ぶことがある。）を基板ケース１００に設けようとすると、基板ケース１００の成形金型の制約が大きくなり、場合によっては、基板ケース１００の製造コストが大幅に上昇する虞がある。特に、第一ケース１１１と第二ケース１１２とのうち一方のみに両側側のガイド部８００を設けると、基板ケース１００の成形金型の構造が複雑になる。なかでも、図３０に示すような複雑な形態のガイド部８００を１つの部材に設けることは非常に困難である。この点、かかる構成のように、第一ガイド部８０１と第二ガイド部８０２とを第一ケース１１１と第二ケース１１２とに分担して設けることによって、基板ケース１００の成形金型（第一ケース１１１及び第二ケース１１２のそれぞれの成形金型）に要求される制約を少なくすることが可能となっている。
【０１００】
また、両側型のガイド部８００を第一ケース１１１のみに設けた場合には、両側型のガイド部８００を形成するための専用のスペースを、第一ケース１１１の外側に張り出した状態に設ける必要が生じ、第一ケース１１１周辺のスペース効率が悪化するところ、かかる構成のように、第一ガイド部８０１と第二ガイド部８０２とを第一ケース１１１と第二ケース１１２とに分担して設けることによって、両側型のガイド部８００を形成するための専用のスペースを、第一ケース１１１の外側に張り出した状態に設ける必要がなくなり、第一ケース１１１周辺のスペース効率の悪化を防ぐことも可能となっている。さらに、両側型のガイド部８００を第二ケース１１２のみに設けた場合には、第二ケース１１２を前方から見たときに、制御基板３００に近くなる側に両側側のガイド部８００やケーブル３００が配されるようになり、制御基板３００の視認性が低下するところ、かかる構成のように、第一ガイド部８０１と第二ガイド部８０２とを第一ケース１１１と第二ケース１１２とに分担して設けることによって、制御基板３００の視認性の低下を防ぐことも可能となっている。
【０１０１】
第五に、図８に示すように、第一ケース１１１を、制御基板３００の後側を覆う後壁部１１１ａ（第一ケース後壁部）と、第一ケース後壁部１１１ａの縁部近傍から前側に起立する側壁部１１１ｓ，１１１ｔ（第一ケース側壁部）とを有するものとし、第二ケース１１２を、制御基板３００の前側を覆う前壁部１１２ａ（第二ケース前壁部）を有するものとし、第一ケース側壁部１１１ｓ，１１１ｔに、第二ケース前壁部１１２ａの縁部近傍まで達する前壁到達部１１１ｓ１，１１１ｔ１を設け、第一ガイド部８０１を、第一ケース側壁部１１１ｓ，１１１ｔの前壁到達部１１１ｓ１，１１１ｔ１に設け、第二ガイド部８０２を、第二ケース前壁部１１２ａの縁部近傍に設けている。これにより、基板ケース１００周辺のスペース効率をより高めるだけでなく、基板ケース１００に収容された制御基板３００の視認性をより高く維持することも可能となっている。
【０１０２】
第六に、図１３に示すように、操作手段取付部１１０ｅに対して操作手段６１０を取り付けるための取付ブラケット６２０を用意し、図１６に示すように、この取付けブラケット６２０に、第三ガイド部６２２を設けている。この第三ガイド部６２２は、図１５に示すように、ケーブル７００の外周面を覆ってケーブル７００を操作手段６１０から開放側境界部１１０ｃの近傍までガイドするためのものとなっている。これにより、ケーブル７００における、操作手段６１０と開放側境界部１１０ｃとの間に位置する部分もガイドし、当該部分の形態を安定させることが可能となっている。本実施態様において、第三ガイド部６２２は、断面略半円状のトンネル型のものとなっているが、第三ガイド部６２２の形態はこれに限定されない。
【０１０３】
３．２  ケース固定部材（ケース一側固定部材及びケース他側固定部材）
ケース固定部材１２０，１３０は、ケース取付部材２００に対して動かない状態で固定される部材となっている。本実施態様においては、ケース固定部材１２０，１３０を、ケース回動部材１１０の一側（左側）に配されるケース一側固定部材１２０と、ケース回動部材１１０の他側（右側）に配されるケース他側固定部材１３０とで構成している。ケース一側固定部材１２０は、ケース回動部材１１０を左側から軸支するものとなっており、ケース他側固定部材１３０は、ケース回動部材１１０を右側から軸支するものとなっている。このように、ケース回動部材１１０を両側から軸支することにより、ケース回動部材１１０を安定した状態で回動させることができる。
【０１０４】
既に述べたように、ケース一側固定部材１２０には、上側軸受部１２２（図５（ａ））が設けられ、この上側軸受部１２２が、ケース取付部材２００に設けられた下側軸受部２０１（図１９）と組み合わさって、ケース回動部材１１０の左側を軸支するようになっている。このケース一側固定部材１２０は、必須の部材ではない。ケース一側固定部材１２０は、ケース取付部材２００の前面側に設けた開環状のクリップ部（Ｃ字状の弾性クリップであって、その切れ目部分から内部に支軸部１４１を圧入できるもの。）等で代用することも可能である。
【０１０５】
また、ケース他側固定部材１３０には、ケース回動部材１１０の支軸部１４３の内側に挿通して軸支するための内挿軸受部１３３（図６（ｂ））が設けられており、ケース回動部材１１０の右側を軸支するようになっている。ただし、支軸部１４３は、軸受部材１５０の環状部１５１（図２３）にも挿通されるとともに、ケース取付部材２００の後側軸受部２０２（図１９）にも宛がわれ、これらの部分によっても軸支されている。
【０１０６】
ケース他側固定部材１３０の内部には、図６（ｂ）に示すように、ケース取付部材２００の被係合用可動体５０１（図２１）に対して係合するための、Ｂ連結部用係合部４０１とＣ連結部用係合部４０２とが設けられている。  既に述べたように、ケース取付部材２００の被係合用可動体５０１は、Ｂ位置とＣ位置との間で移動でき、Ｂ位置にあるときにはＢ連結部として、Ｃ位置にあるときにはＣ連結部として機能するようになっていたところ、Ｂ連結部用係合部４０１は、Ｂ位置にあるときの被係合用可動体５０１に係合し、Ｃ連結部用係合部４０２は、Ｃ位置にあるときの被係合用可動体５０１に係合するようになっている。
【０１０７】
本実施態様の基板ケース１００やケース取付部材２００では採用していないが、基板ケース１００及びケース取付部材２００にＤ連結部やＥ連結部等を設ける場合には、ケース他側固定部材１３０には、さらにＤ連結部用係合部やＥ連結部用係合部を設けることもできる。ケース他側固定部材１３０に、Ｂ連結部用係合部４０１だけでなく、Ｃ連結部用係合部４０２やＤ連結部用係合部やＥ連結部用係合部等を設ける場合には、これらの係合部は、通常、その係合方向に非平行な方向に並列に設けられる。本実施態様においては、Ｂ連結部用係合部４０１とＣ連結部用係合部４０２とを、それらの係合方向に略垂直な方向に並列に設けている。
【０１０８】
Ｂ連結部用係合部４０１やＣ連結部用係合部４０２は、単純な形態（例えば、１本のフックピンのみで構成される形態）としてもよい。しかし、本実施態様においては、図６（ｂ）に示すように、Ｂ連結部用係合部４０１及びＣ連結部用係合部４０２のそれぞれを、上下方向（ｚ軸方向）に２段で、前後方向（ｙ軸方向）に２段で配した計４本のフックピン４００で構成している。このように、Ｂ連結部用係合部４０１やＣ連結部用係合部４０２を複雑な形態とすることで、破壊や白化等の塑性変形を伴わない状態では、Ｂ連結部用係合部４０１やＣ連結部用係合部４０２を被係合用可動体５０１から取り外しにくいものとすることができる。
【０１０９】
Ｂ連結部用係合部４０１及びＣ連結部用係合部４０２は、ケース他側固定部材１３０の本体部１３１の内面に支持されるところ、本体部１３１における、その内側にＢ連結部用係合部４０１及びＣ連結部用係合部４０２が指示される箇所は、薄肉に形成された脆弱部１３１ｂ（図６（ａ））を設けている。このため、Ｂ連結部用係合部４０１やＣ連結部用係合部４０２の係合を不正に解除しようとすると、脆弱部１３１ｂに、破壊痕や白化痕等の痕跡が残りやすくなっている。
【０１１０】
３．３  軸受部材
軸受部材１５０は、図２３に示すように、環状部１５１と、環状部１５１からＬ字状に折れ曲がって延びる被固定部１５２と、被固定部１５２における環状部１５１が設けられた側とは逆側の端部に設けられた被係合用分離部１５３とを備えている。既に述べたように、環状部１５１は、ケース回動部材１１０の支軸部１４３（図２１）を軸支する部分となっている。被固定部１５２は、ケース取付部材２００（図２１）に対して固定するための部分となっている。
【０１１１】
被係合用分離部１５３は、被固定部１５２の端部に設けられた脆弱接合部１５２ａ（図２３（ｂ））のみで被固定部１５２に接合されており、軸受部材１５０における他の部分から容易に分離することができるようになっている。脆弱接合部１５２ａは、ある程度の剛性を有しながらも、容易に切断できるものであれば特に限定されない。脆弱接合部１５２ａとしては、薄肉部や小径部のほか、破断補助線が設けられた部分とすることもできる。被係合用分離部１５３の形態等は、後述する被係合用可動体５０１（図２５）の被係合部５０１ａと略同様であるため、説明を割愛する。
【０１１２】
この軸受部材１５０は、通常時は、ケース回動部材１１０をケース取付部材２００に連結するＢ連結部（若しくはＣ連結部）として機能しながらも、Ｂ連結部（若しくはＣ連結部）における連結が不要となったときには、被係合用分離部１５３を、Ｆ連結部として機能させることができるようになっている。環状部１５１は、Ｆ連結部の連結を行うときに、被係合用分離部１５３をＦ連結部で連結される箇所に導く治具として機能する治具機能部としても機能するようになっている。
【０１１３】
図２８は、軸受部材１５０でＦ連結部の連結を行っている様子を、前方斜め右上から見た図である。図２９（ａ）は、軸受部材１５０でＦ連結部の連結を行う前の状態を、Ｆ連結部の周辺で拡大して前方から見た図であり、図２９（ｂ）は、軸受部材１５０でＦ連結部の連結を行った後の状態を、Ｆ連結部の周辺で拡大して前方から見た図である。図２９では、ケース回動部材１１０や軸受部材１５０におけるＦ連結部に係る部分（Ｆ連結部をｙ軸方向負側で覆う部分）を破断して示している。
【０１１４】
図２９に示すように、ケース回動部材１１０におけるＦ連結部用係合部４０３に対し、軸受部材１５０の被係合用分離部１５３を係合することで、ケース回動部材１１０の第一ケース１１１と第二ケース１１２とが連結された状態となる。被係合用分離部１５３がＦ連結部用係合部４０３に係合されると、ケース回動部材１１０は、Ｆ連結部やその周辺に破壊痕等を残さない限りは、開封できない状態となる。図２９（ｂ）に示すように、被係合用分離部１５３がＦ連結部用係合部４０３に係合されると、環状部１５１を操作して、脆弱接合部１５２ａに曲げや捩じりの力を加えることによって、軸受部材１５０が脆弱接合部１５２ａの部分で切断され、環状部１５１及び被固定部１５２は、ケース回動部材１１０から取り外すことが可能な状態となる。一方の被係合用分離部１５３は、Ｆ連結部用係合部４０３に係合されたままの状態で、ケース回動部材１１０側に残るようになる。この状態にあっては、第一ケース１１１に対して第二ケース１１２を上側（ｚ軸方向正側）にスライドさせて第一ケース１１１と第二ケース１１２とを分離しようとすると、被係合用分離部１５３のフランジ部１５３ａに第二ケース１１２のフランジ受け面１１２ｈが当接し、被係合用分離部１５３も上側に移動しようとするものの、被係合用分離部１５３は、Ｆ連結部用係合部４０３に係合された状態となっているため、上側には移動することができないようになっている。
【０１１５】
軸受部材１５０をこのような構成とした理由は、以下の通りである。すなわち、遊技機の基板ケース１００は、通常、複数の部材（本実施態様の基板ケース１００においては、第一ケース１１１や第二ケース１１２等）を組み合せることによって制御基板３００を封止するものとなっており、前記複数の部材のうちいずれかの組の部材を連結状態とすることで当該組の部材が不正に分離されないようにするための不正防止用連結構造が複数種設けられていることが多い（上述したＡ連結部やＢ連結部やＣ連結部やＤ連結部やＥ連結部やＦ連結部等）。
【０１１６】
しかし、これらの不正防止用連結構造のなかには、同時には使用されないものも存在する。例えば、「Ｆ連結部」が使用されるときには「Ｂ連結部」や「Ｃ連結部」や「Ｄ連結部」や「Ｅ連結部」は使用されない。また、「Ｃ連結部」が使用されるときには「Ｂ連結部」は使用されず、「Ｄ連結部」が使用されるときには「Ｃ連結部」は使用されず、「Ｅ連結部」が使用されるときには「Ｄ連結部」は使用されない。このように、遊技機の基板ケース１００は、同時には使用されない複数種の不正防止用連結構造を有するにもかかわらず、不要になった不正防止用連結構造の構成部品は、そのまま廃棄され、不経済である。この点、遊技機の基板ケース１００において、一の種の不正防止用連結構造における連結が不要となったときに、当該一の不正防止用連結構造の構成部品を、他の種の不正防止用連結構造における連結で利用することができるようにすれば、上記の問題を解決できるからである。
【０１１７】
具体的には、
複数の部材（本実施態様の基板ケース１００においては第一ケース１１１や第二ケース１１２等）を組み合せることによって遊技機の制御基板３００を封止するとともに、前記複数の部材のうちいずれかの組の部材を連結状態とすることで当該組の部材が不正に分離されないようにするための不正防止用連結構造が複数種設けられた基板ケース１００において、
一の種の不正防止用連結構造（本実施態様の基板ケース１００においてはＢ連結部又はＣ連結部）の構成部品（本実施態様の基板ケース１００においては軸受部材１５０）に、
前記一の種の不正防止用連結構造の連結が不要であるときに、他の種の不正防止用連結構造（本実施態様の基板ケース１００においてはＦ連結部）における連結部分として利用可能な他種連結構造流用部（本実施態様の基板ケース１００においては被係合用分離部１５３）と、
前記他の種の不正防止用連結構造の連結を行うときに、前記他種連結構造流用部を前記他の種の不正防止用連結構造で連結される箇所に導く治具として機能する治具機能部（本実施態様の基板ケース１００においては環状部１５１）と
を設けることで解決される。
【０１１８】
このように、前記一の種の不正防止用連結構造の構成部品に、前記他の種の不正防止用連結構造における連結部分として利用可能な他種連結構造流用部１５３と、他種連結構造流用部１５３を前記他の種の不正防止用連結構造で連結される箇所に導く治具として機能する治具機能部１５１とを設けることにより、前記一の種の不正防止用連結構造における連結が不要になったときでも、前記一の種の不正防止用連結構造の構成部品を、他種連結構造流用部１５３や治具機能部１５１として有効に活用することが可能になる。また、治具機能部１５１を設けたことによって、前記他の種の不正防止用連結構造の連結を行う際の他種連結構造流用部１５３の操作を行いやすくすることも可能になる。
【０１１９】
前記他の種の不正防止用連結構造（本実施態様の基板ケース１００においてはＦ連結部）の連結を行うときに前記他種連結構造流用部（本実施態様の基板ケース１００においては被係合用分離部１５３）が連結される部分（以下においては、「他種連結構造流用部による連結部分」と呼ぶことがある。）を、基板ケース１００における外壁面から奥まった箇所に設けることが好ましい。
【０１２０】
これにより、前記他の種の不正防止用連結構造における連結を、基板ケース１００における奥まった箇所で行い、当該連結が不正に解除されにくくすることが可能になる。加えて、このように奥まった箇所で他種連結構造流用部１５３を操作する作業は、通常であれば行いにくいところ、他種連結構造流用部１５３を前記他の種の不正防止用連結構造で連結される箇所に導く治具として機能する治具機能部１５１を設けることによって、上記の作業も比較的容易に行うことが可能になる。
【０１２１】
他種連結構造流用部１５３による連結部分（本実施態様の基板ケース１００においてはＦ連結部の連結部分）を、基板ケース１００における外壁面からどの程度奥まった箇所に設けるかは特に限定されない。しかし、他種連結構造流用部１５３による連結部分から基板ケース１００の外壁面までの距離Ｌ１（図２９（ａ）を参照。）が短すぎると、上記の効果が奏されにくくなる。このため、距離Ｌ１は、５ｍｍ以上とすることが好ましい。距離Ｌ１は、１０ｍｍ以上とすることがより好ましく、１５ｍｍ以上とすることがさらに好ましい。距離Ｌ１の上限は、特に限定されないが、治具機能部１５１による他種連結構造流用部１５３の操作のしやすさや、基板ケース１００における基板収容部（ケース回動部材１１０）の寸法を考慮すると、５０ｍｍ程度までである。
【０１２２】
前記一の種の不正防止用連結構造（本実施態様の基板ケース１００においてはＢ連結部又はＣ連結部）で互いに連結される連結部分とのうち、一方を軸状部分（本実施態様の基板ケース１００においてはケース回動部材１１０の支軸部１４３）として、他方を前記軸状部分を軸支するための環状部分（本実施態様の基板ケース１００においては軸受部材１５０の環状部１５１）とし、
前記環状部分を前記治具機能部として、前記他の種の不正防止用連結構造（本実施態様の基板ケース１００においてはＦ連結部）の連結を行うときに、前記環状部分に手指を掛けて前記他種連結構造流用部を操作することができるようにする
ことも好ましい。
【０１２３】
これにより、治具機能部１５１を手指でより操作しやすいものとし、前記他の種の不正防止用連結構造における連結をより容易に行うことが可能になる。
【０１２４】
本実施態様の基板ケース１００のように、基板ケース１００における基板収容部（ケース回動部１１０）を、制御基板３００の一側を覆う第一ケース１１１と、制御基板３００の他側を覆う第二ケース１１２とで構成する場合には、
前記一の種の不正防止用連結構造が、遊技機筺体１０ａ，１０ｂに取り付けられたケース取付部材２００に対して基板ケース１００を連結するためのもの（Ｂ連結部又はＣ連結部等）とされ、
前記他の種の不正防止用連結構造を、前記一の種の不正防止用連結構造の連結を正規に解除した後に、第一ケース１１１に対して第二ケース１１２を連結するためのもの（Ｆ連結部）とする
ことも好ましい。
【０１２５】
というのも、既に述べたように、Ｆ連結部の連結を行う際には、基板ケース１００は、必ず、ケース取付部材２００から取り外された状態となる。換言すると、前記一の種の不正防止用連結構造（ケース取付部材２００に対して基板ケース１００を連結するＢ連結部やＣ連結部等）には、Ｆ連結部の連結を行う直前に、必ず連結解除の操作が行われるはずである。このように、前記一の種の不正防止用連結構造を、前記他の種の不正防止用連結構造の連結を行う直前に、必ず操作する必要があるものとすることにより、前記他の種の不正防止用連結構造の連結を忘れないようにすることが可能になるからである。
【０１２６】
４．ケース取付部材
続いて、上記の基板ケース１００が取り付けられるケース取付部材２００について説明する。ケース取付部材２００は、その後面側を遊技機の筺体１０ａ，１０ｂ（図２）における所定箇所に固定される。本実施態様においては、基板ケース１００をメイン制御基板ユニット３０（図２）用のものとしたため、ケース取付部材２００の後面は、筺体本体１０ａ（図２）の背板１０ａ１の前面における上部に固定するようにしている。筺体１０ａ，１０ｂに対してケース取付部材２００を固定する方法は、特に限定されないが、通常、ネジ等の固定具が用いられる。ケース取付部材２００の形態は、特に限定されない。本実施態様において、ケース取付部材２００は、図１９に示すように、前面視矩形状のパネル状となっている。
【０１２７】
このケース取付部材２００の前面側には、図１９に示すように、Ｂ連結部又はＣ連結部として機能する被係合用可動体５０１を設けている。この被係合用可動体５０１は、図２５に示すように、被係合部５０１ａと、基台部５０１ｂとで構成されている。
【０１２８】
被係合部５０１ａは、ケース他側固定部材１３０に設けられたＢ連結部用係合部４０１又はＣ連結部用係合部４０２のフックピン４００を挿し込んで係合するための部分となっている。本実施態様において、被係合部５０１ａは、側面に開口部５０１ａ１を有する箱型のものとなっており、この開口部５０１ａ１の縁に、上記のフックピン４００が内側から係合するようになっている。被係合部５０１の内部には、それに差し込まれたフックピン４００を外側に押し広げて係合が解除されにくくするためのフックピン案内部５０１ａ２も設けている。
【０１２９】
基台部５０１ｂは、被係合用可動体５０１をケース取付部材２００に対してスライド可能な状態で取り付けるための部分となっている。本実施態様において、基台部５０１ｂは、図２５に示すように、幅狭部５０１ｂ１と幅広部５０１ｂ２とで構成されている。幅狭部５０１ｂ１は、図２４に示すように、ケース取付部材２００にスリット状に設けられた可動体保持部２０３（可動体保持スリット）に挿入する部分となっている。幅狭部５０１ｂ１は、可動体保持スリット２０３の端部から挿入される。幅狭部５０１ｂ１を可動体保持スリット２０３に挿入すると、図２４（ｂ）に示すように、被係合部５０１ａがケース取付部材２００の前面側に位置し、幅広部５０１ｂ２がケース取付部材２００の後面側に位置するようになる。このため、ケース取付部材２００に取り付けた被係合用可動体５０１は、可動体保持スリット２０３に沿った方向（本実施態様においては上下方向）にスライド可能でありながら、ケース取付部材２００の前側や後側には引き抜くことができないようになっている。
【０１３０】
基台部５０１ｂにおける、ケース取付部材２００の後側に位置する幅広部５０１ｂ２には、図２５に示すように、位置決め係合部５０１ｂ３を設けている。一方、ケース取付部材２００の後面側における、可動体保持スリット２０３の両脇には、位置決め用被係合部２０４と位置決め用被係合部２０５とを、所定間隔を隔てた状態で設けている。可動体保持スリット２０３に対して被係合用可動体５０１をスライドさせ、被係合用可動体５０１の位置決め係合部５０１ｂ３が位置決め用被係合部２０４に係合されると、被係合用可動体５０１がＢ連結部として機能し得るＢ位置で位置決めされ、被係合用可動体５０１の位置決め係合部５０１ｂ３が位置決め用被係合部２０５に係合されると、被係合用可動体５０１がＣ連結部として機能し得るＣ位置で位置決めされるようになっている。
【０１３１】
このように、１つの被係合用可動体５０１を移動させて、その被係合用可動体５０１がＢ連結部及びＣ連結部のいずれとしても機能するようにすることによって、部品点数を削減することが可能になる。また、被係合用可動体５０１を移動可能な状態でケース取付部材２００に取り付ける構造は、通常であれば複雑になり、部品点数が増大しやすいところ、被係合用可動体５０１を上記の形態とし、可動体保持スリット２０３に取り付けるようにしたことにより、より少ない部品点数で、上記構造を実現することが可能となっている。      
【０１３２】
なお、ケース他側固定部材１３０に、Ｂ連結部用係合部４０１やＣ連結部用被係合部４０２だけでなく、Ｄ連結部用係合部やＥ連結部用被係合部も設ける場合には、可動体保持スリット２０３に沿った箇所には、被係合用可動体５０１がＤ連結部として機能し得るＤ位置となったときに位置決めできる位置決め用被係合部や、被係合用可動体５０１がＥ連結部として機能し得るＥ位置となったときに位置決めできる位置決め用被係合部を設けることも好ましい。これにより、Ｄ連結部用やＥ連結部用の部品点数を削減することも可能になる。
【符号の説明】
【０１３３】
１０      回胴式遊技機
１０ａ    筺体本体
１０ａ１  背板
１０ｂ    前扉
１０ｂ１  リール窓
１１      メダル投入口
１２      メダル払出口
１３      第一リール（リール）
１４      第二リール（リール）
１５      第三リール（リール）
１６      液晶ディスプレイ
１７      スピーカー
１８      マックスベットボタン
１９      シングルベットボタン
２０      スタートレバー
２１      第一ストップボタン（ストップボタン）
２２      第二ストップボタン（ストップボタン）
２３      第三ストップボタン（ストップボタン）
２４      チャンスボタン
２５      払戻しボタン
３０      メイン制御基板ユニット
３１      サブ制御基板ユニット
３２      液晶ユニット
３３      電源ユニット
３４      コネクタユニット
３５      リールユニット
３６      ホッパーユニット
１００      基板ケース
１１０      ケース回動部材
１１０ａ    接着用密閉室
１１０ａ１  後側の密閉室区画壁部（外部露出型の密閉室区画壁部）
１１０ａ２  前側の密閉室区画壁部（外部露出型の密閉室区画壁部）
１１０ａ３  上側の密閉室区画壁部（外部露出型の密閉室区画壁部）
１１０ａ４  下側の密閉室区画壁部（外部露出型の密閉室区画壁部）
１１０ａ５  左側の密閉室区画壁部（外部露出型の密閉室区画壁部）
１１０ａ６  右側の密閉室区画壁部（外部非露出型の密閉室区画壁部）
１１０ｂ    低熱伝導層
１１０ｃ    開放側境界部
１１０ｄ    コネクタ挿通口
１１０ｅ    操作手段取付部
１１１      第一ケース
１１１ａ    後壁部（第一ケース後壁部）
１１１ｂ    案内壁部
１１１ｃ    案内壁部
１１１ｄ    第一アーム部
１１１ｄ１  断面積縮小部
１１１ｅ    被係合突起
１１１ｇ    封印シール貼付部
１１１ｓ    側壁部（第一ケース側壁部）
１１１ｓ１  前壁到達部
１１１ｔ    側壁部（第一ケース側壁部）
１１１ｔ１  前壁到達部
１１２      第二ケース
１１２ａ    前壁部（第二ケース前壁部）
１１２ｂ    側壁部
１１２ｃ    側壁部
１１２ｄ    上壁部
１１２ｅ    下壁部
１１２ｆ    第二アーム部
１１２ｆ１  断面積縮小部
１１２ｆ２  係合凸部
１１２ｇ    封印シール貼付部
１１２ｈ    フランジ受け面
１２０      ケース一側固定部材（固定ケース）
１２１      本体部
１２２      上側軸受部
１２３      固定部材挿通部
１３０      ケース他側固定部材（固定ケース）
１３１      本体部
１３１ａ    固定部材挿通部
１３１ｂ    脆弱部
１３２      被覆部
１３３      内挿軸受部
１４１      支軸部
１４２      鍔部
１４３      支軸部
１４４      鍔部
１５０      軸受部材
１５１      環状部（治具機能部）
１５２      被固定部
１５２ａ    脆弱接合部
１５３      被係合用分離部（他種連結構造流用部）
１５３ａ    フランジ部
１６１      接着剤保持部
１６１ａ    仕切壁
１６２      対保持部用被接着部
１６２ａ    突片
２００      ケース取付部材
２０１      下側軸受部
２０２      後側軸受部
２０３      可動体保持スリット（可動体保持部）
２０４      位置決め用被係合部
２０５      位置決め用被係合部
３００      制御基板
４００      フックピン
４０１      Ｂ連結部用係合部
４０２      Ｃ連結部用係合部
４０３      Ｆ連結部用係合部
５０１      被係合用可動体
５０１ａ    被係合部
５０１ａ１  開口部
５０１ａ２  フックピン案内部
５０１ｂ    基台部
５０１ｂ１  幅狭部
５０１ｂ２  幅広部
５０１ｂ３  位置決め係合部
６１０      操作手段
６２０      取付ブラケット
６２１      本体部
６２２      第三ガイド部
６３０      保護カバー
６３１      固定部材挿通部
７００      ケーブル
８００      ガイド部
８０１      第一ガイド部
８０２      第二ガイド部
９００      ネジ（固定部材）
９０１      ネジ（固定部材）
９０２      ネジ（固定部材）
９０３      ネジ（固定部材）
９０４      ネジ（固定部材）
【図１】
2019136456.tif 000003
【図２】
2019136456.tif 000004
【図３】
2019136456.tif 000005
【図４】
2019136456.tif 000006
【図５】
2019136456.tif 000007
【図６】
2019136456.tif 000008
【図７】
2019136456.tif 000009
【図８】
2019136456.tif 000010
【図９】
2019136456.tif 000011
【図１０】
2019136456.tif 000012
【図１１】
2019136456.tif 000013
【図１２】
2019136456.tif 000014
【図１３】
2019136456.tif 000015
【図１４】
2019136456.tif 000016
【図１５】
2019136456.tif 000017
【図１６】
2019136456.tif 000018
【図１７】
2019136456.tif 000019
【図１８】
2019136456.tif 000020
【図１９】
2019136456.tif 000021
【図２０】
2019136456.tif 000022
【図２１】
2019136456.tif 000023
【図２２】
2019136456.tif 000024
【図２３】
2019136456.tif 000025
【図２４】
2019136456.tif 000026
【図２５】
2019136456.tif 000027
【図２６】
2019136456.tif 000028
【図２７】
2019136456.tif 000029
【図２８】
2019136456.tif 000030
【図２９】
2019136456.tif 000031
【図３０】
2019136456.tif 000032